(57)【特許請求の範囲】
【請求項１】
加入者情報カードが挿入されているときに、公衆回線網を通じて通信できる通信端末装置であって、
上記加入者情報カードが自装置に挿入されているか否かを判定するカード挿入判定手段と、
上記カード挿入判定手段によって、上記加入者情報カードが通信端末装置に挿入されていないと判定されるとき、上記加入者情報カードが挿入され、上記公衆回線網を介して通信できる状態にあり、子機として接続されている通信端末装置と公衆通信網との通信を中継する、親機としての通信端末装置との間で上記公衆回線網を介さず直接通信し、上記親機を介することによって、上記公衆通信網を通じて通信する直接通信手段を備えていることを特徴とする通信端末装置。
【請求項２】
上記親機と通信できないとき、その旨をユーザに警告する通信不可警告手段をさらに備えていることを特徴とする請求項１に記載の通信端末装置。
【請求項３】
上記通信不可警告手段は、
通信端末装置が親機と通信しているときと、していないときとで、ユーザに異なる警告を発することを特徴とする請求項２に記載の通信端末装置。
【請求項４】
上記親機と通信可能になったことをユーザに通知する通信可能通知手段をさらに備えていることを特徴とする請求項１に記載の通信端末装置。
【請求項５】
通信端末装置が充電状態であるときに、上記加入者情報カードが通信端末装置に挿入されているか否かをユーザに通知するカード挿入状態通知手段をさらに備えていることを特徴とする請求項１に記載の通信端末装置。
【請求項６】
上記カード挿入状態通知手段は、
通信端末装置が充電状態でなくなったときに、上記加入者情報カードが通信端末装置に挿入されているか否かを、ユーザに通知することを特徴とする請求項５に記載の通信端末装置。
【請求項７】
通信端末装置が着信状態であるときに、上記加入者情報カードが通信端末装置に挿入されているか否かをユーザに通知するカード挿入状態通知手段をさらに備えていることを特徴とする請求項１に記載の通信端末装置。
【請求項８】
通信端末装置に記憶されているデータを、上記親機に記憶されているデータと同期させるデータ同期手段とをさらに備えていることを特徴とする請求項１に記載の通信端末装置。
【請求項９】
通信端末装置が子機として動作するか否かを設定する動作設定手段をさらに備え、
上記直接通信手段は、
通信端末装置が子機として動作することが上記動作設定手段によって設定されているとき、上記親機と直接通信する請求項１に記載の通信端末装置。
【請求項１０】
上記親機がコンテンツを再生することによって生成した再生データを取得する再生データ取得手段をさらに備えていることを特徴とする請求項１に記載の通信端末装置。
【請求項１１】
上記親機に保存されている、著作権を有するコンテンツを取得するコンテンツ取得手段をさらに備えていることを特徴とする請求項１に記載の通信端末装置。
【請求項１２】
上記親機に保存されている、上記親機が使用できる電子マネーの残金値を取得する残金値取得手段をさらに備えていることを特徴とする請求項１に記載の通信端末装置。
【請求項１３】
上記残金値取得手段は、
上記親機に保存されている、上記親機以外の他の通信端末装置の電子マネーの残金値を取得することを特徴とする請求項１２に記載の通信端末装置。
【請求項１４】
加入者情報カードが挿入されているときに、公衆回線網を通じた通信を実行できる通信端末装置であって、
上記加入者情報カードが自装置に挿入されているか否かを判定するカード挿入判定手段と、
上記カード挿入判定手段によって、上記加入者情報カードが通信端末装置に挿入されていると判定されるとき、上記加入者情報カードが挿入されていない、子機としての通信端末装置と、上記公衆回線網を介さず直接通信することによって、上記子機が上記公衆回線網を通じて通信することを中継する直接通信手段とを備えていることを特徴とする通信端末装置。
【請求項１５】
上記加入者情報カードに記憶されている加入者情報と、上記子機にあらかじめ設定されている加入者情報とが一致するか否かを判定する加入者情報判定手段をさらに備え、
上記直接通信手段は、
上記２つの加入者情報が、加入者情報判定手段によって一致すると判定されたとき、上記子機と通信することを特徴とする請求項１４に記載の通信端末装置。
【請求項１６】
上記子機と通信できないとき、その旨をユーザに通知する通信不可警告手段をさらに備えていることを特徴とする請求項１４に記載の通信端末装置。
【請求項１７】
上記子機と通信可能になったことをユーザに通知する通信可能通知手段をさらに備えていることを特徴とする請求項１４に記載の通信端末装置。
【請求項１８】
通信端末装置が充電状態であるときに、上記加入者情報カードが通信端末装置に挿入されていることをユーザに通知するカード挿入状態通知手段をさらに備えていることを特徴とする請求項１４に記載の通信端末装置。
【請求項１９】
上記カード挿入状態通知手段は、
通信端末装置が充電状態でなくなったときに、上記加入者情報カードが通信端末装置に挿入されているか否かを、ユーザに通知することを特徴とする請求項１８に記載の通信端末装置。
【請求項２０】
通信端末装置が着信状態であるときに、上記加入者情報カードが通信端末装置に挿入されていることをユーザに通知するカード挿入状態通知手段をさらに備えていることを特徴とする請求項１４に記載の通信端末装置。
【請求項２１】
通信端末装置に記憶されているデータを、上記子機との間で同期させるデータ同期手段をさらに備えていることを特徴とする請求項１４に記載の通信端末装置。
【請求項２２】
複数の上記子機と通信接続しているとき、受信したデータを、データの内容に応じて、複数の上記子機に振り分けて転送するデータ転送手段を備えていることを特徴とする請求項１４に記載の通信端末装置。
【請求項２３】
コンテンツを再生するコンテンツ再生手段と、
上記コンテンツ再生手段が上記コンテンツを再生することによって生成した再生データを、上記子機に提供する再生データ提供手段をさらに備えていることを特徴とする請求項１４に記載の通信端末装置。
【請求項２４】
上記子機に保存されている、上記子機が使用できる電子マネー残金の値を取得する残金値取得手段をさらに備えていることを特徴とする請求項１４に記載の通信端末装置。
【請求項２５】
通信端末装置に保存されている電子マネー残金の値を、上記子機に送信する残金値送信手段をさらに備えていることを特徴とする請求項２４に記載の通信端末装置。
【請求項２６】
上記残金値送信手段は、
通信端末装置に保存されている、上記子機以外の他の子機の電子マネーの残金値を、上記子機に送信することを特徴とする請求項２５に記載の通信端末装置。
【請求項２７】
請求項１に記載の通信端末装置と、請求項１４に記載の通信端末装置とを含んでいることを特徴とする通信システム。
【請求項２８】
加入者情報カードが挿入されているときに、公衆回線網を通じて通信できる通信端末装置に、他の通信端末装置と直接通信させる通信方法であって、
上記加入者情報カードが自装置に挿入されているか否かを判定するカード挿入判定ステップと、
上記カード挿入判定ステップによって、上記加入者情報カードが通信端末装置に挿入されていないと判定されるとき、上記加入者情報カードが挿入され、上記公衆回線網を介して通信できる状態にあり、子機として接続されている通信端末装置と公衆通信網との通信を中継する、親機としての通信端末装置との間で上記公衆回線網を介さず直接通信し、上記親機を介することによって、上記公衆通信網を通じて通信する直接通信ステップを含んでいることを特徴とする通信方法。
【請求項２９】
加入者情報カードが挿入されているときに、公衆回線網を通じた通信を実行できる通信端末装置に、他の通信端末装置と直接に通信させる通信方法であって、
上記加入者情報カードが自装置に挿入されているか否かを判定するカード挿入判定ステップと、
上記カード挿入判定ステップによって、上記加入者情報カードが通信端末装置に挿入されていると判定されるとき、上記加入者情報カードが挿入されていない、子機としての通信端末装置と、上記公衆回線網を介さず直接通信することによって、上記子機が上記公衆回線網を通じて通信することを中継する直接通信ステップとを含んでいることを特徴とする通信方法。
【請求項３０】
請求項１〜２６のいずれか１項に記載の通信端末装置を動作させる通信プログラムであって、コンピュータを上記の各手段として機能させるための通信プログラム。
【請求項３１】
請求項３０に記載の通信プログラムを記録しているコンピュータ読み取り可能な記録媒体。
【発明の詳細な説明】
【技術分野】
【０００１】
本発明は、ＳＩＭカード（Ｓｕｂｓｃｒｉｂｅｒ  Ｉｄｅｎｔｉｔｙ  Ｍｏｄｕｌｅ）またはＵＩＭ（Ｕｓｅｒ  Ｉｄｅｎｔｉｔｙ  Ｍｏｄｕｌｅ）カードなどの、いわゆる加入者情報カードに対応した通信端末装置に関する。
【背景技術】
【０００２】
近年、ＳＩＭカードに対応した携帯電話機が普及してきた。これに伴いユーザは、一人で複数台の携帯電話を所有し、ＳＩＭカードを差し替えることによって、複数台の携帯電話を使い分けるようになった。
【０００３】
事業者は、加入権情報（電話番号）を書き込んだＳＩＭカードを販売している。ユーザは任意の事業者と契約の上、ＳＩＭカードを入手する。ＳＩＭカードを携帯電話端末に装着すれば、ユーザは端末をすぐに使用できる。別の端末を利用したければＳＩＭカードを差し替える。これだけで、同じ電話番号のまま、別の端末を利用できる。他の事業者のＳＩＭカードを持っていれば、ユーザは、１台の端末を用いて、複数の事業者のサービスを使い分けることもできる。
【０００４】
一方で、複数台の固定電話機を使ったシステムとして、たとえば親子機電話が実現されている。たとえば、特許文献１に記載の無線通信システムでは、ＳＩＭカードに対応した携帯電話を、一般加入者回線（いわゆる固定電話）が収容されている家庭用無線基地局の子機として使用する。
【特許文献１】特開２００１−１９７５５７号公報（２００１年７月１９日公開）
【発明の開示】
【発明が解決しようとする課題】
【０００５】
ＳＩＭカードに対応した携帯電話は、ＳＩＭカードが挿入されて初めて、外部と通信できる。したがって、ＳＩＭカードに対応した携帯電話を仮に複数台所有しているとしても、ユーザは、ＳＩＭカードが挿入されていない携帯電話を有効に利用できない。
【０００６】
本発明は、上記の課題を解決するためになされたものであり、その目的は、複数所持しているときにユーザが有効活用することができる通信端末装置、通信方法、通信システム、通信プログラム、記録媒体を提供することを目的とする。
【課題を解決するための手段】
【０００７】
本発明に係る通信端末装置は、上記の課題を解決するために、
加入者情報カードが挿入されているときに、公衆回線網を通じて通信できる通信端末装置であって、
上記加入者情報カードが自装置に挿入されているか否かを判定するカード挿入判定手段と、
上記カード挿入判定手段によって、上記加入者情報カードが通信端末装置に挿入されていないと判定されるとき、上記加入者情報カードが挿入され、上記公衆回線網を介して通信できる状態にあり、子機として接続されている通信端末装置と公衆通信網との通信を中継する、親機としての通信端末装置との間で上記公衆回線網を介さず直接通信し、上記親機を介することによって、上記公衆通信網を通じて通信する直接通信手段とを備えていることを特徴としている。
【０００８】
上記の構成によれば、通信端末装置は、加入者情報カードが挿入されているときに、公衆回線網を通じて通信できる。この加入者情報カードには、通信端末装置を使用するユーザ（加入者）に関する情報が、あらかじめ記憶されている。したがって、ユーザがこの加入者情報カードを通信端末装置に挿入することによって、加入者情報カードに記憶されている電話番号を用いた通話などが可能になる。
【０００９】
ここで、通信端末装置は、カード挿入判定手段と、直接通信手段とを備えることによって、加入者情報カードが挿入されていない状態においても、公衆回線網を通じた通信を、間接的に実行できる。すなわち、カード挿入判定手段は、加入者情報カードが通信端末装置に挿入されているか否かを判定する。このとき、カード挿入判定手段によって、加入者情報カードが通信端末装置に挿入されていないと判定されるとき、直接通信手段は、親機として動作する通信端末装置と、公衆回線網を介さずに直接、通信する。親機とは、加入者情報カードが挿入されており、公衆回線網を介して通信できる状態にある通信端末装置である。この親機との直接の通信を、直接通信手段が実行することによって、加入者情報カードが挿入されていなくても、通信端末装置は、親機の子機として、親機を介して、公衆回線網を介した外部との通信を実行できるようになる。
【００１０】
したがって、ユーザは、１台の通信端末装置を、あるときには親機として、またあるときには子機として使用できる。これにより、ユーザは、複数台の通信端末装置を有効に利用できる効果を奏する。
【００１１】
本発明に係る通信方法は、上記の課題を解決するために、
加入者情報カードが挿入されているときに、公衆回線網を通じて通信できる通信端末装置に、他の通信端末装置と直接通信させる通信方法であって、
上記加入者情報カードが自装置に挿入されているか否かを判定するカード挿入判定ステップと、
上記加入者情報カードが通信端末装置に挿入されていないと判定されるとき、上記加入者情報カードが挿入され、上記公衆回線網を介して通信できる状態にある、親機としての通信端末装置との間で、上記公衆回線網を介さず直接通信する直接通信ステップを含んでいることを特徴としている。
【００１２】
上記の構成によれば、本発明に係る通信端末装置と同様の効果を奏する。
【００１３】
また、本発明に係る通信端末装置では、さらに、
上記親機に挿入されている加入者情報カードに記憶されている加入者情報と、自装置にあらかじめ設定されている加入者情報とが一致するか否かを判定する加入者情報判定手段をさらに備え、
上記直接通信手段は、
上記２つの加入者情報が上記加入者情報判定手段によって一致すると判定されたとき、上記親機との通信することが好ましい。
【００１４】
上記の構成によれば、加入者情報判定手段は、親機に挿入されている加入者情報カードに記憶されている加入者情報と、自装置にあらかじめ設定されている加入者情報とが一致するか否かを判定する。ここでいう加入者情報とは、加入者情報カードを購入したユーザに関する情報である。加入者情報が一致することは、２台の通信端末装置を、いずれも同一のユーザが所持していることを意味する。したがって、親機の加入者情報と、通信端末装置の加入者情報とが一致すると判定されるとき、直接接続手段は、通信端末装置を、親機としての通信端末装置に接続する。
【００１５】
したがって、通信端末装置が、無関係のユーザが有する親機に接続することを防止できる効果を奏する。
【００１６】
また、本発明に係る通信端末装置では、さらに、
上記親機と通信できないとき、その旨をユーザに警告する通信不可警告手段をさらに備えていることが好ましい。
【００１７】
上記の構成によれば、通信不可警告手段は、通信端末装置が親機と通信できないとき、その旨をユーザに警告する。このとき通信不可警告手段は、たとえば、通信端末装置の画面に、「親機と通信できません」などの所定のメッセージを表示するなどして、ユーザに警告する。この警告を確認することによって、通信端末装置のユーザは、親機と通信できるところまで移動するなどして、通信端末装置が親機と再び通信できるようにする。
【００１８】
したがって、たとえば、親機と通信できない状態の通信端末装置を、ユーザがそのままの状態に放置することを防止できる効果を奏する。
【００１９】
また、本発明に係る通信端末装置では、さらに、
上記通信不可警告手段は、
通信端末装置が親機と通信しているときと、していないときとで、ユーザに異なる警告を発することを特徴としている。
【００２０】
上記の構成によれば、通信不可警告手段は、通信端末装置が親機と通信しているときと、していないときとで、ユーザに異なる警告を発する。たとえば、通信端末装置が親機と接続しているとき、すなわち通信端末装置が子機として動作しているときには、充電状態を示すＬＥＤを赤色に表示する。一方、通信端末装置が親機と接続されていないとき、すなわち通信端末装置が親機として動作しているときには、充電状態を示すＬＥＤを緑色に表示する。これにより、通信端末装置のユーザは、ＬＥＤの色を確認することによって、通信端末装置が親機または子機のどちらとして実行しているのかを知ることができる。
【００２１】
したがって、通信端末装置は、警告を受けるときの通信端末装置の動作状況をユーザに知せることができる効果を奏する。
【００２２】
また、本発明に係る通信端末装置では、さらに、
上記親機と通信可能になったことをユーザに通知する通信可能通知手段をさらに備えていることが好ましい。
【００２３】
上記の構成によれば、通信可能通知手段は、親機と通信端末装置が通知可能になったことを、ユーザに通知する。このとき通信可能通知手段は、たとえば、通信端末装置の画面に、「親機と通信できます」などの所定のメッセージを表示する。この通知を確認することによって、ユーザは、現在、通信端末装置が親機と通信できることを知ることができる。
【００２４】
したがって、通信端末装置が親機と通信できることを、ユーザは、わざわざ確かめることなく知ることができる効果を奏する。
【００２５】
また、本発明に係る通信端末装置では、さらに、
通信端末装置が充電状態であるときに、上記加入者情報カードが通信端末装置に挿入されているか否かをユーザに通知するカード挿入状態通知手段をさらに備えていることが好ましい。
【００２６】
上記の構成によれば、カード挿入状態通知手段は、通信端末装置が充電状態であるとき、加入者情報カードが通信端末装置に挿入されているか否かを、ユーザに通知する。このとき、カード挿入状態通知手段は、たとえば、通信端末装置の画面に「カードが挿入されています」などの所定のメッセージを表示する。加入者情報カードが挿入されていなければ、通信端末装置は、親機に接続できる子機として動作している。加入者情報カードが挿入されていれば、通信端末装置は、子機としての通信端末装置からの接続を受ける、親機として動作している。すなわち、カード挿入状態通知手段は、通信端末装置が親機または子機のいずれとして動作しているのかを、ユーザに通知する。
【００２７】
通信端末装置が充電状態である場合、ユーザは、通信端末装置をある場所に置き続ける可能性が高い。したがって、通信端末装置は、どこかに持ち出される可能性が低い。これにより通信端末装置は、ユーザに、通信端末装置がある一定の場所におき続けられる場合における、通信端末装置の動作状態を知らせることができる効果を奏する。
【００２８】
また、本発明に係る通信端末装置では、さらに、
上記カード挿入状態通知手段は、
通信端末装置が充電状態でなくなったときに、上記加入者情報カードが通信端末装置に挿入されているか否かを、ユーザに通知することが好ましい。
【００２９】
上記の構成によれば、カード挿入状態通知手段は、通信端末装置が充電状態でなくなったときに、上記加入者情報カードが通信端末装置に挿入されているか否かを、ユーザに通知する。通信端末装置が充電状態でなくなれば、ユーザは、通信端末装置を自由に持ち運びできる。したがって、カード挿入状態通知手段は、ユーザに、通信端末装置を自由に持ち運びできる場合における、通信端末装置の動作状態を知ることができる。
【００３０】
したがって、通信端末装置は、たとえば、子機であり、単体では外部と通信できない通信端末装置を、ユーザが所持して外出することを防止できる効果を奏する。
【００３１】
また、本発明に係る通信端末装置は、さらに、
通信端末装置が着信状態であるときに、上記加入者情報カードが通信端末装置に挿入されているか否かをユーザに通知するカード挿入状態通知手段をさらに備えていることが好ましい。
【００３２】
上記の構成によれば、カード挿入状態通知手段は、通信端末装置が着信状態であるときに、加入者情報カードが通信端末装置に挿入されているか否かを、ユーザに通知する。これによりユーザは、通信端末装置を使用して通話を行っているとき、現在使用している通信端末装置が親機であるのか、あるいは親機に接続している子機であるのかを知ることができる。
【００３３】
したがって、通信端末装置は、ユーザに、通信端末装置をどのような形態で使用して通話しているのかを、確実に知らせることができる効果を奏する。
【００３４】
また、本発明に係る通信端末装置では、さらに、
通信端末装置に記憶されているデータを、上記親機に記憶されているデータと同期させるデータ同期手段とをさらに備えていることが好ましい。
【００３５】
上記の構成によれば、データ同期手段は、通信端末装置に記憶されているデータを、親機に記憶されているデータと同期させる。したがって、通信端末装置は、親機に記憶されているデータを使用できる。これにより、加入者情報カードを差し替えて、通信端末装置を切り替えるユーザは、どの通信端末装置においても、同じデータを参照できる。
【００３６】
したがって、ユーザが通信端末装置を切り替えて使用するときの利便性を向上できる効果を奏する。
【００３７】
また、本発明に係る通信端末装置では、さらに、
通信端末装置が子機として動作するか否かを設定する動作設定手段をさらに備え、
上記直接通信手段は、
通信端末装置が子機として動作することが上記動作設定手段によって設定されているとき、加入者情報カードが挿入され、上記公衆回線網を介した通信が実行できる状態にある、親機としての通信端末装置と通信することが好ましい。
【００３８】
上記の構成によれば、動作設定手段が、通信端末装置が子機として動作するか否かを設定する。動作設定手段によって、通信端末装置が子機として動作するように設定されているとき、通信端末装置は子機として動作する。このとき直接通信手段は、親機としての通信端末装置と通信する。この親機とは、加入者情報カードが挿入され、公衆回線網を介した通信が実行できる状態にある通信端末装置である。
【００３９】
すなわち直接通信手段は、通信端末装置が子機として動作するように設定されているとき、通信端末装置に加入者情報カードが挿入されているか否かに関わらず、無条件で、親機と直接、通信する。（追加）したがってユーザは、加入者情報カードが挿入されている通信端末装置であっても、子機として利用できる効果を奏する。
【００４０】
また、本発明に係る通信端末装置では、さらに、
上記公衆回線網を通じた通信が発生している間、上記動作設定手段は、通信端末装置を子機として動作しない設定に変更することが好ましい。
【００４１】
上記の構成によれば、動作設定手段は、通信端末装置において公衆回線網を通じた外部との通信が発生している間、通信端末装置を子機として動作しない設定に変更する。これにより通信端末装置は、親機と接続しているときも、必要に応じて、外部との通信を実行する。
【００４２】
すなわち通信端末装置は、子機として動作しているとき、外部からの通信が入れば、自動的に、その動作を通常の通信端末装置としてのものに、自動的に切り替える。これにより通信端末装置は、外部との通信をやり損ねることがないという効果を奏する。
【００４３】
また、本発明に係る通信端末装置では、さらに、
上記親機がコンテンツを再生することによって生成した再生データを取得する再生データ取得手段をさらに備えていることが好ましい。
【００４４】
上記の構成によれば、再生データ取得手段は、親機がコンテンツ（音楽データや動画データなど）を再生することによって生成した再生データを取得する。これにより、通信端末装置では、たとえば、再生データを再生することによって、親機のコンテンツを間接的に再生できる。
【００４５】
したがって、親機のコンテンツを再生できる手段を有していない通信端末装置であっても、親機のコンテンツを再生できる効果を奏する。
【００４６】
また、本発明に係る通信端末装置では、さらに、
上記親機に保存されている、著作権を有するコンテンツを取得するコンテンツ取得手段をさらに備えていることが好ましい。
【００４７】
上記の構成によれば、コンテンツ取得手段は、親機に保存されている、著作権を有するコンテンツ（音楽データや動画データなど）を取得する。したがってユーザは、親機の管理するコンテンツを、通信端末装置において利用できる。これにより、ユーザが複数の通信端末装置を使用するとき、各通信端末装置に、同じ内容の、著作権を有するコンテンツをそれぞれ用意する必要がない。
【００４８】
したがって、たとえば、ユーザが著作権を有するコンテンツを購入するときの費用を安くできる効果を奏する。
【００４９】
また、本発明に係る通信端末装置では、さらに、
上記親機に保存されている、上記親機が使用できる電子マネーの残金値を取得する残金値取得手段をさらに備えていることが好ましい。
【００５０】
上記の構成によれば、残金値取得手段は、親機に保存されている、親機が使用できる電子マネーの残金値を取得する。これによりユーザは、親機に記憶されている電子マネーの残金値を、通信端末装置において知ることができる。
【００５１】
これによりユーザは、通信端末装置によって課金しようとした際に、親機の残金値を確認した上で、課金の要否を決定できる。したがって、たとえば、通信端末装置を通じた電子マネーの余計な課金を防止できる効果を奏する。
【００５２】
また、本発明に係る通信端末装置では、さらに、
上記残金値取得手段は、
上記親機に保存されている、上記親機以外の他の通信端末装置の電子マネーの残金値を取得することが好ましい。
【００５３】
上記の構成によれば、残金値取得手段は、親機に保存されている、親機以外の他の通信端末装置の電子マネーの残金値を取得する。ここでいう他の通信端末装置とは、親機に接続できる、子機としての他の通信端末装置である。この通信端末装置も、ユーザが有している。これによりユーザは、自身が有している各通信端末装置に記憶されている残金値を、一台の通信端末装置を通じて一度に知ることができる。
【００５４】
したがって、たとえば、通信端末装置を通じた電子マネーの余計な課金を、よりいっそう防止できる効果を奏する。
【００５５】
本発明に係る通信端末装置は、上記の課題を解決するために、
加入者情報カードが挿入されているときに、公衆回線網を通じた通信を実行できる通信端末装置であって、
上記加入者情報カードが自装置に挿入されているか否かを判定するカード挿入判定手段と、
上記カード挿入判定手段によって、上記加入者情報カードが通信端末装置に挿入されていると判定されるとき、上記加入者情報カードが挿入されていない、子機としての通信端末装置と、上記公衆回線網を介さず直接通信することによって、上記子機が上記公衆回線網を通じて通信することを中継する直接通信手段とを備えていることを特徴としている。
【００５６】
上記の構成によれば、通信端末装置は、加入者情報カードが挿入されているときに、公衆回線網を通じて通信できる。この加入者情報カードには、通信端末装置を使用するユーザ（加入者）に関する情報が、あらかじめ記憶されている。したがって、ユーザがこの加入者情報カードを通信端末装置に挿入することによって、加入者情報カードに記憶されている電話番号を用いた通話などが可能になる。
【００５７】
ここで、通信端末装置は、カード挿入判定手段と、直接通信手段とを備えることによって、加入者情報カードが挿入されておらず、外部と通信できない通信端末装置と、直接に通信できる。すなわち、カード挿入判定手段は、加入者情報カードが通信端末装置に挿入されているか否かを判定する。このとき、カード挿入判定手段によって、上記加入者情報カードが通信端末装置に挿入されていると判定されるとき、直接通信手段は、子機として動作する通信端末装置と直接、通信する。これにより直接通信手段は、子機が公衆回線網を通じて通信することを中継する。
【００５８】
子機とは、加入者情報カードが挿入されておらず、公衆回線網を介して通信できない状態にある通信端末装置である。この子機との直接の通信を、直接通信手段が行うことによって、通信端末装置は、親機として、子機に、公衆回線網を介した外部との通信を間接的に実行させることができるようになる。
【００５９】
したがって、ユーザは、１台の通信端末装置を、あるときには親機として、またあるときには子機として使用させることができる。これにより、ユーザは、複数台の通信端末装置を有効に利用できる効果を奏する。
【００６０】
本発明に係る通信方法は、上記の課題を解決するために、
加入者情報カードが挿入されているときに、公衆回線網を通じた通信を実行できる通信端末装置に、他の通信端末装置と直接に通信させる通信方法であって、
上記加入者情報カードが自装置に挿入されているか否かを判定するカード挿入判定ステップと、
上記加入者情報カードが通信端末装置に挿入されていると判定されるとき、上記加入者情報カードが挿入されていない、子機としての通信端末装置との間で、上記公衆回線網を介さず直接通信する直接通信ステップとを含んでいることを特徴としている。
【００６１】
上記の構成によれば、本発明に係る通信端末装置と同様の効果を奏する。
【００６２】
また、本発明に係る通信端末装置では、さらに、
上記加入者情報カードに記憶されている加入者情報と、上記子機にあらかじめ設定されている加入者情報とが一致するか否かを判定する加入者情報判定手段をさらに備え、
上記直接通信手段は、
上記２つの加入者情報上記加入者情報判定手段によって一致すると判定されたとき、上記子機と通信することが好ましい。
【００６３】
上記の構成によれば、加入者情報判定手段は、加入者情報カードに記憶されている加入者情報と、子機にあらかじめ設定されている加入者情報とが一致するか否かを判定する。ここでいう加入者情報とは、加入者情報カードを購入したユーザに関する情報である。加入者情報が一致することは、２台の通信端末装置を、いずれも同一のユーザが所持していることを意味する。したがって、通信端末装置の加入者情報と、子機の加入者情報とが一致すると判定されるとき、直接接続手段は、子機からの通信接続を受け入れ、子機と接続する。
【００６４】
したがって、通信端末装置が、無関係のユーザが有する子機に接続することを防止できる効果を奏する。
【００６５】
また、本発明に係る通信端末装置では、さらに、
上記子機と通信できないとき、その旨をユーザに通知する通信不可警告手段をさらに備えていることが好ましい。
【００６６】
上記の構成によれば、通信不可警告手段は、通信端末装置が子機と通信できないとき、その旨をユーザに通知する。このとき通信不可警告手段は、たとえば、通信端末装置の画面に、「子機と通信できません」などの所定のメッセージを表示するなどして、ユーザに通知する。この通知を確認することによって、通信端末装置のユーザは、子機と通信できるところまで移動するなどして、通信端末装置が子機と再び通信できるようにする。
【００６７】
したがって、たとえば、子機と通信できない状態の通信端末装置を、ユーザがそのままの状態に放置することを防止できる効果を奏する。
【００６８】
また、本発明に係る通信端末装置では、さらに、
上記子機と通信可能になったことをユーザに通知する通信可能通知手段をさらに備えていることが好ましい。
【００６９】
上記の構成によれば、通信可能通知手段は、子機と通信端末装置が通信可能になったことを、ユーザに通知する。このとき通信可能通知手段は、たとえば、通信端末装置の画面に、「子機と通信できます」などの所定のメッセージを表示する。この通知を確認することによって、ユーザは、現在、通信端末装置が子機と通信できることを知ることができる。
【００７０】
したがって、通信端末装置が子機と通信できることを、ユーザは、わざわざ確かめることなく知ることができる効果を奏する。
【００７１】
また、本発明に係る通信端末装置では、さらに、
通信端末装置が充電状態であるときに、上記加入者情報カードが通信端末装置に挿入されていることをユーザに通知するカード挿入状態通知手段をさらに備えていることが好ましい。
【００７２】
上記の構成によれば、カード挿入状態通知手段は、通信端末装置が充電状態であるとき、加入者情報カードが通信端末装置に挿入されているか否かを、ユーザに通知する。このとき、カード挿入状態通知手段は、たとえば、通信端末装置の画面に「カードが挿入されています」などの所定のメッセージを表示する。加入者情報カードが挿入されていなければ、通信端末装置は、親機に接続できる子機として動作している。加入者情報カードが挿入されていれば、通信端末装置は、子機としての通信端末装置からの接続を受ける、親機として動作している。すなわち、カード挿入状態通知手段は、通信端末装置が親機または子機のいずれとして動作しているのかを、ユーザに通知する。
【００７３】
通信端末装置が充電状態である場合、ユーザは、通信端末装置をある場所に置き続ける可能性が高い。したがって、通信端末装置は、どこかに持ち出される可能性が低い。これにより通信端末装置は、ユーザに、通信端末装置がある一定の場所におき続けられる場合における、通信端末装置の動作状態を知らせることができる効果を奏する。
【００７４】
また、本発明に係る通信端末装置では、さらに、
上記カード挿入状態通知手段は、
通信端末装置が充電状態でなくなったときに、上記加入者情報カードが通信端末装置に挿入されているか否かを、ユーザに通知することが好ましい。
【００７５】
上記の構成によれば、カード挿入状態通知手段は、通信端末装置が充電状態でなくなったときに、上記加入者情報カードが通信端末装置に挿入されているか否かを、ユーザに通知する。通信端末装置が充電状態でなくなれば、ユーザは、通信端末装置を自由に持ち運びできる。したがって、カード挿入状態通知手段は、ユーザに、通信端末装置を自由に持ち運びできる場合における、通信端末装置の動作状態を知ることができる。
【００７６】
したがって、通信端末装置は、たとえば、親機であり、単体で外部と通信できる通信端末装置を、ユーザがそのまま所持して外出できることを、ユーザに通知できる効果を奏する。
【００７７】
また、本発明に係る通信端末装置では、さらに、
通信端末装置が着信状態であるときに、上記加入者情報カードが通信端末装置に挿入されていることをユーザに通知するカード挿入状態通知手段をさらに備えていることが好ましい。
【００７８】
上記の構成によれば、カード挿入状態通知手段は、通信端末装置が着信状態であるときに、加入者情報カードが通信端末装置に挿入されているか否かを、ユーザに通知する。これによりユーザは、通信端末装置を使用して通話を行っているとき、現在使用している通信端末装置が親機であるのか、あるいは親機に接続できる子機であるのかを知ることができる。
【００７９】
したがって、通信端末装置は、ユーザに、通信端末装置をどのような形態で使用して通話しているのかを、確実に知らせることができる効果を奏する。
【００８０】
また、本発明に係る通信端末装置では、さらに、
通信端末装置に記憶されているデータを、上記子機との間で同期させるデータ同期手段をさらに備えていることが好ましい。
【００８１】
上記の構成によれば、データ同期手段は、通信端末装置に記憶されているデータを、子機に記憶されているデータと同期させる。したがって、子機は、親機である通信端末装置に記憶されているデータを使用できる。これにより、加入者情報カードを差し替えて、通信端末装置を切り替えるユーザは、どの通信端末装置においても、同じデータを参照できる。
【００８２】
したがって、通信端末装置は、ユーザが各通信端末装置を切り替えて使用するときの利便性を向上できる効果を奏する。
【００８３】
また、本発明に係る通信端末装置では、さらに、
複数の上記子機と通信接続しているとき、受信したデータを、データの内容に応じて、複数の上記子機に振り分けて転送するデータ転送手段を備えていることが好ましい。
【００８４】
上記の構成によれば、データ転送手段は、通信端末装置が受信したデータを、子機に転送する。ここで、通信端末装置が複数の子機と通信接続しているとき、データ転送手段は、データの内容に応じて、複数の子機にデータを振り分けて転送する。たとえば、ユーザの仕事に関するデータを、ある子機にのみ転送し、ユーザのプライベートに関するデータを、別の子機のみに転送する。
【００８５】
したがって、通信端末装置は、ユーザに、各子機を、用途に応じて使い分けさせることができる効果を奏する。
【００８６】
また、本発明に係る通信端末装置では、さらに、
コンテンツを再生することによって生成した再生データを、上記子機に提供する再生データ提供手段をさらに備えていることが好ましい
上記の構成によれば、再生データ提供手段は、通信端末装置がコンテンツ（音楽データや動画データなど）を再生することによって生成した再生データを、子機に提供する。これにより、子機では、たとえば、再生データを再生することによって、通信端末装置のコンテンツを間接的に再生できる。
【００８７】
したがって、通信端末装置は、通信端末装置のコンテンツを再生できる手段を有していない子機であっても、親機のコンテンツを再生させることができる効果を奏する。
【００８８】
また、本発明に係る通信端末装置では、さらに、
上記子機に保存されている、著作権を有するコンテンツを取得するコンテンツ取得手段をさらに備えていることが好ましい。
【００８９】
上記の構成によれば、コンテンツ取得手段は、子機に保存されている、著作権を有するコンテンツ（音楽データや動画データなど）を取得する。したがってユーザは、子機の管理するコンテンツを、通信端末装置において利用できる。これにより、ユーザが複数の通信端末装置を使用するとき、各通信端末装置に、同じ内容の、著作権を有するコンテンツをそれぞれ用意する必要がない。
【００９０】
したがって、たとえば、ユーザが著作権を有するコンテンツを購入するときの費用を安くできる効果を奏する。
【００９１】
また、本発明に係る通信端末装置では、さらに、
上記子機に保存されている、上記子機が使用できる電子マネー残金の値を取得する残金値取得手段をさらに備えていることが好ましい。
【００９２】
上記の構成によれば、残金値取得手段は、子機に保存されている、子機が使用できる電子マネーの残金値を取得する。これによりユーザは、子機に記憶されている電子マネーの残金値を、通信端末装置において知ることができる。
【００９３】
したがって、たとえば、通信端末装置を通じた電子マネーの無駄な課金を防止できる効果を奏する。
【００９４】
また、本発明に係る通信端末装置では、さらに、
通信端末装置に保存されている電子マネー残金の値を、上記子機に送信する残金値送信手段をさらに備えていることが好ましい。
【００９５】
上記の構成によれば、残金値送信手段は、通信端末装置に保存されている、通信端末装置が使用できる電子マネーの残金値を、子機に送信する。これによりユーザは、通信端末装置に記憶されている電子マネーの残金値を、子機において知ることができる。
【００９６】
したがって、たとえば、子機を通じた電子マネーの無駄な課金を防止できる効果を奏する。
【００９７】
また、本発明に係る通信端末装置では、さらに、
上記残金値送信手段は、
通信端末装置に保存されている、上記子機以外の他の子機の電子マネーの残金値を、上記子機に送信することが好ましい。
【００９８】
上記の構成によれば、残金値送信手段は、通信端末装置に保存されている、ある子機以外の他の子機の電子マネーの残金値を、その子機に送信する。ここでいう他の通信端末装置とは、通信端末装置に接続できる、子機としての他の通信端末装置である。この通信端末装置も、ユーザが所有している。これによりユーザは、自身が有している各通信端末装置に記憶されている残金値を、一台の通信端末装置を通じて一度に知ることができる。
【００９９】
したがって、たとえば、通信端末装置を通じた電子マネーの無駄な課金を、よりいっそう防止できる効果を奏する。
【０１００】
本発明に係る通信システムは、上記の課題を解決するために、上述した親機および子機を含んでいることを特徴としている。
【０１０１】
上記の構成によれば、ユーザが複数の通信端末装置を親機や子機として有効に利用できる通信システムを提供できる効果を奏する。
【０１０２】
なお、上記通信端末装置は、コンピュータによって実現してもよい。この場合、コンピュータを上記各手段として動作させることにより上記通信端末装置をコンピュータにおいて実現する通信プログラム、およびその通信プログラムを記録したコンピュータ読み取り可能な記録媒体も、本発明の範疇に入る。
【発明の効果】
【０１０３】
以上のように、本発明に係る通信端末装置は、加入者情報カードが通信端末装置に挿入されていないと判定されるとき、加入者情報カードが挿入され、公衆回線網を介して通信できる状態にある、親機としての通信端末装置との間で、公衆回線網を介さず直接通信する直接通信手段を備えているため、ユーザが、１台を通信端末装置を有効に利用することができる効果を奏する。
【発明を実施するための最良の形態】
【０１０４】
〔実施形態１〕
本発明に係る第１の実施形態について、図１および図２を参照して以下に説明する。
【０１０５】
（通信端末装置１）
まず、本実施形態に係る通信端末装置１に関して、図１を参照して以下に説明する。図１は、本発明の第１実施形態に係る通信端末装置１の要部構成を示すブロック図である。図１に示すように、通信端末装置１は、入力デバイス１０、出力デバイス１１、入出力制御部１２、カードインタフェース１３、加入者情報カード１４、カード挿入判定部１５（カード挿入判定手段）、公衆網通信部１６、ローカル通信部１７（直接通信手段）、ローカル接続部１８、および一時メモリ１９を備えている。
【０１０６】
（入力デバイス１０、出力デバイス１１、入出力制御部１２）
入力デバイス１０はたとえばキーボードであり、ユーザが通信端末装置１に所定の情報を入力するときに使用される。出力デバイス１１はたとえばＬＣＤ（液晶ディスプレイ）であり、通信端末装置１に関する各種の情報を表示する。入出力制御部１２は、入力デバイス１０を通じた情報の入力、および出力部１４への情報の出力を制御する。
【０１０７】
（カードインタフェース１３）
カードインタフェース１３は、加入者情報カード１４を挿入するためのカードインタフェースである。ユーザは、このカードインタフェース１３に加入者情報カード１４を挿入することによって、通信端末装置１を用い、公衆回線網を通じた通信サービスを享受できる。すなわち通信端末装置１は、加入者情報カード１４がカードインタフェース１３に挿入されているとき、公衆回線網を通じて外部と通信できる。
【０１０８】
（加入者情報カード１４）
加入者情報カード１４は、ＳＩＭカードまたはＵＩＭカードなどの、加入者情報があらかじめ書き込まれているカードである。この加入者情報カード１４には、電話番号、商用携帯電話サービスの加入者を特定する加入者ＩＤ、短縮ダイヤルなどの、各種の加入情報が、あらかじめ書き込まれている。ユーザは、加入者情報カード１４をカードインタフェース１３に挿入できる。加入者情報カード１４がカードインタフェース１３に挿入されているとき、通信端末装置１は、後述するように、親機として動作できる。一方、加入者情報カード１４がカードインタフェース１３に接続されていないとき、通信端末装置１は、同じく後述するように、子機として動作できる。
【０１０９】
（カード挿入判定部１５）
カード挿入判定部１５は、カードインタフェース１３に加入者情報カード１４が挿入されているか否かを、任意の公知手法によって判定する。加入者情報カード１４がカードインタフェース１３に挿入されていると判定するとき、カード挿入判定部１５は、一時メモリ１９に格納されているカード挿入フラグに「１」を設定する。一方、加入者情報カード１４がカードインタフェース１３に挿入されていると判定するとき、カード挿入判定部１５は、カード挿入フラグに「０」を設定する。
【０１１０】
（公衆網通信部１６）
公衆網通信部１６は、公衆回線網を通じて、外部と通信する。通信端末装置１では、カードインタフェース１３に加入者情報カード１４が入力されているとき、この公衆網通信部１６が、公衆回線網を通じて、他の通信端末装置１と通信する。これによりユーザは、通信端末装置１を使用して、たとえば他のユーザと通話できる。
【０１１１】
（ローカル通信部１７）
ローカル通信部１７は、公衆回線網を介さず、他の通信端末装置１と直接に通信する。ローカル通信部１７は、従来の親子機システムにおいて用いられている通信方法に従う。または、Ｂｌｕｅｔｏｏｔｈ（登録商標）規格などの、近距離無線通信規格に従ってもよい。ローカル通信部１７は、通信端末装置１がローカル接続部１８によって他の通信端末装置１とローカルに（直接に）通信接続されているときにのみ、他の通信端末装置１に備えられているローカル通信部１７との間で、データ通信を行う。したがって、ローカル接続部１８は、公衆回線網を通じた通信を行うことはない。
【０１１２】
後述するように、通信端末装置１が親機として動作するとき、親機におけるローカル通信部１７は、親機に接続している子機が公衆回線網を通じて外部と通信することを中継する。一方、通信端末装置１が子機として動作するとき、子機におけるローカル通信部１７は、親機を介することによって、公衆回線網を通じて外部と通信する。
【０１１３】
（ローカル接続部１８）
ローカル接続部１８は、通信端末装置１を、他の通信端末装置１と、公衆回線網を介さずに直接に接続する。ローカル接続部１８によって、一方の通信端末装置１は親機として、もう一方の通信端末装置１は子機として、互いに接続される。この接続が確立されたあと、２台の通信端末装置１は、ローカル通信部１７によって、互いに直接に通信でき、たとえばデータをやり取りできるようになる。詳しく後述するように、ローカル接続部１８は、通信端末装置１のカードインタフェース１３に加入者情報カード１４が挿入されているとき、通信端末装置１を子機として、加入者情報カード１４がカードインタフェース１３に挿入されている、親機としての通信端末装置１に、ローカル接続させる。
【０１１４】
（一時メモリ１９）
一時メモリ１９は、通信端末装置１において処理され、作成され、出力される各種データを、一時的に記憶するためのメモリである。この一時メモリ１９には、たとえば、加入者情報カード１４がカードインタフェース１３に挿入されているか否かを表すカード挿入フラグが格納されている。一時メモリ１９は、たとえば、ＲＡＭ（Ｒａｎｄｏｍ  Ａｃｃｅｓｓ  Ｍｅｍｏｒｙ）などの揮発性メモリである。
【０１１５】
（不揮発性メモリ）
なお、特に図示しないが、上述した入出力制御部１２、カード挿入判定部１５、公衆網通信部１６、ローカル通信部１７、およびローカル接続部１８は、通信端末装置１において、いわゆるプログラムコードとして、所定の記録媒体にあらかじめ格納されている。このような記録媒体は、たとえば、ロム（Ｒｏｍ，Ｒｅａｄ  Ｏｎｌｙ  Ｍｅｍｏｒｙ）、またはフラッシュメモリ（登録商法）などの不揮発性メモリである。
【０１１６】
（親子接続の流れ）
２台の通信端末装置１を、一方を親機、他方を子機として、互いにローカル接続する例について、図２を参照して以下に説明する。図２は、加入者情報カード１４がカードインタフェース１３に挿入されていない通信端末装置１を、加入者情報カード１４がカードインタフェース１３に挿入されている通信端末装置１に、子機として接続するときの処理の流れの一例を示すフローチャートである。なお、本実施形態においては、加入者情報カード１４がカードインタフェース１３に挿入されて親機として動作する通信端末装置１も、カードが挿入されておらず子機として動作する通信端末装置１も、共に、図１に示す構成を備えている。
【０１１７】
（加入者情報カード１４の挿入判定）
図２に示すように、まず、カード挿入判定部１５は、カードインタフェース１３の状態を調べる（ステップＳ２１）。これによりカード挿入判定部１５は、カードインタフェース１３に加入者情報カード１４が挿入されているか否かを判定する（ステップＳ２２）。ここで、カード挿入判定部１５が、カードインタフェース１３に加入者情報カード１４が挿入されていると判定するとき（Ｙｅｓ）、通信端末装置１は子機として動作できない。すなわち、親機としての通信端末装置１に接続できないため、図２に示す処理は終了する。
【０１１８】
（他の通信端末装置１を探索）
加入者情報カード１４がカードインタフェース１３に挿入されていないと、カード挿入判定部１５が判定するとき、ローカル接続部１８は、ローカル通信部１７を通じて、ローカル接続可能な他の通信端末装置１が、通信端末装置１の近傍に存在するか否かを判定する（ステップＳ２３）。ここで、ローカル通信部１７を通して接続可能な他の通信端末装置１とは、加入者情報カード１４がカードインタフェース１３に挿入され、公衆網通信部１６を介して、公衆回線網に接続可能な状態にある通信端末装置１を意味する。すなわち、親機として動作できる通信端末装置１である。
【０１１９】
（仮接続）
ローカル通信部１７が、Ｂｌｕｅｔｏｏｔｈ規格にしたがったデータ通信を行う場合、ローカル接続部１８は、一般的なＢｌｕｅｔｏｏｔｈ規格の通信接続手順によって、ローカル接続可能な通信端末装置１が存在するか否かを判定する（ステップＳ２４）。ここで、ローカル接続できる他の通信端末装置１が近くに存在すると判定するとき、ローカル接続部１８は、その通信端末装置１に、いったん仮接続をする（ステップＳ２５）。ここでいう「仮接続」とは、通信の接続をとりあえず行い、互いに装置の認証を行ってから、本接続するための準備段階の接続を意味する。仮接続の間、２台の通信端末装置１は、本接続を行うために必要なデータの通信を行うことはできるが、他の一般的なデータの通信を行うことはできない。
【０１２０】
（親機の確認）
次に、ローカル接続部１８は、仮接続先の通信端末装置１が、親機として動作しているか否かをチェックする。具体的には、仮接続先の通信端末装置１におけるカードインタフェース１３に、加入者情報カード１４が挿入されているか否かを、ローカル通信部１７を通して確認する（ステップＳ２６）。このとき、仮接続元の通信端末装置１におけるローカル接続部１８が、ローカル通信部１７を通じて、加入者情報カード１４の挿入状態を問い合わせる信号を、接続先の通信端末装置１のローカル通信部１７に送信する。この信号を受信した通信端末装置１において、カード挿入判定部１５が、カードインタフェース１３に加入者情報カード１４が挿入されているとか否かを判定する。この判定結果に応じて、仮接続先のローカル通信部１７は、加入者情報カード１４の挿入の有無を示す応答信号を作成し、仮接続元のローカル通信部１７に返信する。これにより、仮接続元の通信端末装置１において、ローカル通信部１７が受信した応答信号の内容を確認することによって、ローカル接続部１８は、仮接続先の通信端末装置１におけるカードインタフェース１３に加入者情報カード１４が挿入されているか否かを判定する（ステップＳ２７）。
【０１２１】
（本接続）
仮接続先の通信端末装置１に加入者情報カード１４が挿入されていると判定するとき（Ｙｅｓ）、ローカル接続部１８は、仮接続先の通信端末装置１に、通信端末装置１を本接続する（ステップＳ２９）。すなわち、仮接続先の通信端末装置１を親機として認識し、仮接続元の通信端末装置１を子機として動作する設定を行う。一方、ステップＳ２７において、仮接続先の通信端末装置１に加入者情報カード１４が挿入されていないと判定するとき（Ｎｏ）、その通信端末装置１は、親機として動作できない。したがって、仮接続元の通信端末装置１におけるローカル接続部１８は、仮接続先の通信端末装置１に本接続しない。そこで、あらかじめ設定されている所定時間の間、近くに存在する他の通信端末装置１を対象にして（ステップＳ２８）、ステップＳ２４からステップＳ２７までの処理を繰り替えす。
【０１２２】
一方、ステップＳ２４において、ローカル接続できる他の通信端末装置１がまったく存在しないと判定するとき（ＮＯ）、ローカル接続部１８は、親機として本接続できる通信端末装置１が、通信可能な範囲内に存在しないと判断する。これにより通信端末装置１は、図２に示す処理を終了する。
【０１２３】
（本接続に関する情報）
本接続の完了後、ローカル接続部１８は、親機および子機の双方が、現在、本接続状態にあることを表す情報を、一時メモリ１９に格納する。一時メモリ１９は、この情報を、本接続が解除されるまで記憶しておく。すなわち、親機として動作する通信端末装置１（加入者情報カード１４が挿入されている通信端末装置１）では、ローカル接続部１８は、本接続されている子機に関する情報を一時メモリ１９に記憶する。一方、子機として動作する通信端末装置１（加入者情報カード１４が未挿入の通信端末装置１）では、ローカル接続部１８は、本接続されている親機に関する情報を一時メモリ１９に記憶する。
【０１２４】
親機または子機は、任意のタイミングによって接続状態の解除を指示する、所定のインタフェースを備えてもよい。または、親機もしくは子機の電源がオフされるとき、本接続は、自動的に解除されてもよい。
【０１２５】
（本接続後の動作）
本接続後された後における親機、および子機としての通信端末装置１の動作は、一般的な親機および子機の動作であればよい。すなわち親機は、公衆網通信部１６を通じた外部からの通信を、子機に取り次げばよい。たとえば、親機において、公衆網通信部１６を介して、外部からの着信があった場合、親機が着信をユーザに知らせると共に、ローカル通信部１７は、着信があったことを子機に通知する。子機において、ユーザが着信応答した場合には、ローカル通信部１７は、通話音等の親子機間のデータ送受信を行う。
【０１２６】
（作用効果）
以上のように通信端末装置１は、加入者情報カード１４が挿入されているときに、公衆回線網を通じて通信できる通信端末装置１であって、加入者情報カード１４が通信端末装置１（カードインタフェース１３）に挿入されているか否かを判定するカード挿入判定部１５と、カード挿入判定部１５によって、加入者情報カード１４が通信端末装置１に挿入されていないと判定されるとき、加入者情報カード１４が挿入され、公衆回線網を介して通信できる状態にある、親機としての通信端末装置１との間で、公衆回線網を介さず直接通信するローカル通信部１７を備えている。
【０１２７】
通信端末装置１は、加入者情報カード１４が挿入されていない状態においても、公衆回線網を通じた通信を、間接的に実行できる。すなわちカード挿入判定部１５は、加入者情報カード１４が通信端末装置１に挿入されているか否かを判定する。このとき、カード挿入判定部１５によって、加入者情報カード１４が通信端末装置１に挿入されていないと判定されるとき、ローカル通信部１７は、親機として動作する通信端末装置１と、公衆回線網を介さずに直接、通信する。
【０１２８】
この親機との直接の通信をローカル通信部１７が実行することによって、加入者情報カードが１４挿入されていなくても、通信端末装置１は、親機の子機として、親機を通じて、公衆回線網を介した外部との通信を実行できるようになる。また、親機として通信端末装置１は、子機との直接の通信をローカル通信部１７が行うことによって、子機に、公衆回線網を介した外部との通信を間接的に実行させることができるようになる。
【０１２９】
したがって、ユーザは、１台の通信端末装置１を、あるときには親機として、またあるときには子機として使用できる。これにより、ユーザは、複数台の通信端末装置１を有効に利用できる。
【０１３０】
また、加入者情報カード１４に対応した通信端末装置１の一般的な利用形態の結果、ユーザは、通信端末装置１を適宜、買い替えることになる。これによりユーザは、自然と、複数台の通信端末装置１を保有するようになる。このため、従来の親子機システムと異なり、ユーザは、あえて子機を買い増しする必要がない。子機として利用される通信端末装置１は、それ自身、既に高機能化されている。したがって子機の高機能化に伴う余分なコストを要することもない。
【０１３１】
〔実施形態２〕
本発明に係る第２の実施形態について、図３および図４を参照して以下に説明する
（通信端末装置３０）
図３は、本発明の第２実施形態に係る通信端末装置３０の要部構成を示すブロック図である。図３に示すように、本実施形態の通信端末装置３０は、図１に示す通信端末装置１に、さらに、加入者情報記憶部３１および接続判定部３２を備えた構成である。
【０１３２】
（加入者情報記憶部３１）
加入者情報記憶部３１は、加入者情報カード１４に記憶されている所定のカード特定情報を記録している。このカード情報は加入者情報カード１４を一意に特定する情報であり、たとえばカードの製造番号に関する情報である。
【０１３３】
（接続判定部３２）
接続判定部３２は、親子接続しようとする２台の通信端末装置３０に記憶されているカード特定情報を照合する。具体的に言えば接続判定部３２は、子機として動作し、親機への本接続を求める通信端末装置３０の加入者情報記憶部３１に記憶されているカード特定情報と、親機として動作し、子機からの本接続要求を受ける通信端末装置３０の加入者情報記憶部３１に記憶されているカード特定情報とを比較する。両者のカード特定情報が実質的に同一であると判定するとき、接続判定部３２は、２台の通信端末装置３０を互いに本接続できるものと判定する。
【０１３４】
（カード特定情報の記憶処理）
通信端末装置３０は、所定のタイミングにおいて、加入者情報カードに記憶されている特定情報を読み出し、加入者情報記憶部３１に格納する。このときの処理について、図４（ａ）を参照して以下に説明する。図４（ａ）は、通信端末装置１が、加入者情報記憶部３１にカード特定情報を記憶するときの処理の流れの一例を示すフローチャートである。まず、ユーザが通信端末装置１が起動すると、カード挿入判定部１５は、カードインタフェース１３に加入者情報カード１４が挿入されているか否かを判定する（ステップＳ４１）。加入者情報カード１４が挿入されていると判定するとき、入出力制御部１２が、この加入者情報カード１４から、加入者情報カード１４を一意に特定するカード特定情報を読み出す（ステップＳ４２）。入出力制御部１２は、読み出したカード特定情報を加入者情報記憶部３１に記憶する（ステップＳ４３）
（接続判定処理）
次に、加入者情報記憶部３１に記憶されている加入者情報に基づき、接続判定部３２が実行する、本接続の判定処理について、図４（ｂ）を参照して以下に説明する。図４（ｂ）は、ローカル接続部１８が通信端末装置３０を本接続するときに、接続判定部３２が実行する本接続判定の処理の流れの一例を示すフローチャートである。
【０１３５】
（カード特定情報の送信）
まず、ローカル接続部１８が、通信端末装置３０の接続手続きを開始する（ステップＳ５１）。これにより、２台の通信端末装置３０は、本接続する。接続手続きが開始すると、子機である通信端末装置１では、ローカル接続部１８が、加入者情報記憶部３１に記憶されているカード特定情報を読み出し、ローカル通信部１７を通じて、親機である通信端末装置３０に送信する。親機である通信端末装置１では、ローカル接続部１８が、子機である通信端末装置３０から送信されたカード特定情報を受信し、一時メモリ１９に格納する。
【０１３６】
（カード特定情報の読み出し）
親機である通信端末装置３０では、カードインタフェース１３に挿入されている加入者情報カード１４から、接続判定部３２が、加入者情報カード１４のカード特定情報を読み出す（ステップＳ５２）。
【０１３７】
（カード特定情報の比較）
次に、接続判定部３２は、接続先の通信端末装置３０から取得したカード特定情報と、加入者情報カード１４から取得したカード特定情報とを比較する。これにより、２台の通信端末装置３０が、本接続可能かどうかを判定する（ステップＳ５３）。具体的には、２つのカード特定情報が実質的に同一であると判定するとき、接続判定部３２は、２台の通信端末装置３０が本接続できると判定する。この判定が下されたとき、ローカル接続部１８は、本接続を継続することによって、接続を確立する（ステップＳ５４）。一方、２つのカード特定情報が実質的に同一でないと判定するとき、接続判定部３２は、２台の通信端末装置３０が本接続すべきでないと判定する。この判定が下されたとき、ローカル接続部１８は本接続を中止する（ステップＳ５５）。
【０１３８】
（作用効果）
以上のように、接続判定部３２は、親機に挿入されている加入者情報カード１４に記憶されている加入者情報と、通信端末装置３０にあらかじめ設定されている加入者情報とが一致するか否かを判定する。ここでいう加入者情報とは、加入者情報カード１４を購入したユーザに関する情報である。加入者情報が一致することは、２台の通信端末装置３０を、いずれも同一のユーザが所持していることを意味する。したがって、親機の加入者情報と、子機の加入者情報とが一致すると判定されるとき、ローカル通信部１７は、子機と親機と間の通信接続を確立する。
【０１３９】
これにより、通信端末装置３０は、無関係のユーザが有する親機に接続することを防止できる。また、通信端末装置３０は、費用の肩代わりを防ぐことができる。すなわち、加入者情報カード１４が挿入されている通信端末装置３０（親機）が、知らず知らずうちに、加入者情報カードが挿入されていない、赤の他人の通信端末装置３０（子機）から接続されることがない。したがって、他人の子機が、自分の親機を通じて、公衆回線網を通じた通信を実行することを防止できる。
【０１４０】
〔実施形態３〕
本発明に係る第３の実施形態について、図５を参照して以下に説明する。
【０１４１】
（通信端末装置５０）
図５は、本発明の第３実施形態における通信端末装置５０の要部構成を示すブロック図である。図５に示すように、本実施形態の通信端末装置５０は、図１に示す通信端末装置１に、さらに、親子判定部５１、通信不可警告部５２および通信可能通知部５３を備えている構成である。
【０１４２】
（親子判定部５１）
親子判定部５１は、通信端末装置５０が親機として動作しているのか、または、子機として動作しているのかを判定する。具体的には、加入者情報カード１４がカードインタフェース１３に挿入されているか否かに基づき判定する。すなわち、加入者情報カード１４がカードインタフェース１３に挿入されているとき、通信端末装置５０を親機であると判定する。一方、加入者情報カード１４がカードインタフェース１３に挿入されていないと判定するとき、通信端末装置５０を子機であると判定する。このとき、親子判定部５１は、たとえば、一時メモリ１９に記憶されているカード挿入フラグの値に基づき、加入者情報カード１４がカードインタフェース１３に挿入されているか否かを判定する。
【０１４３】
（通信不可警告部５２）
通信不可警告部５２は、通信端末装置５０が親機と通信できないとき、その旨をユーザに通知する。このとき通信不可警告部５２は、たとえば、通信端末装置５０の画面に、「親機と通信できません」などの所定のメッセージを表示するなどして、ユーザに通知する。
【０１４４】
通信端末装置５０では、一時メモリ１９に、通信端末装置５０が子機であり、かつ親機と通信できないときに、ユーザにどのような警告を行うかを示す情報が、あらかじめ記憶されている。さらに、一時メモリ１９には、通信端末装置５０が親機であり、かつ子機と通信できないときに、ユーザにどのような警告を行うかを示す情報も、あらかじめ記憶されている。通信不可警告部５２は、通信端末装置５０が親機または子機のいずれとして動作しているかに応じて、一時メモリ１９から警告に関する情報を読み出し、その情報に従った警告をユーザに対して行う。
【０１４５】
（通信可能通知部５３）
通信可能通知部５３は、親機と通信端末装置５０とが通信可能になったことを、ユーザに通知する。このとき通信可能通知部５３は、たとえば、通信端末装置５０の画面に、「親機と通信できます」などの所定のメッセージを表示する。
【０１４６】
通信端末装置５０では、一時メモリ１９に、通信端末装置５０が子機であり、かつ親機と通信できるようになったとき、ユーザにどのような通知を行うかを示す情報が、あらかじめ記憶されている。さらに、一時メモリ１９には、通信端末装置５０が親機であり、かつ子機と通信できるようになったとき、ユーザにどのような通知を行うかを示す情報も、あらかじめ記憶されている。通信可能通知部５３は、通信端末装置５０が親機または子機のいずれとして動作しているかに応じて、一時メモリ１９から通知に関する情報を読み出し、その情報に従った通知をユーザに対して行う。
【０１４７】
（通信の監視）
上述したようにローカル通信部１７は、親機と子機と間における通信（通話）を行う。具体的にはＢｌｕｅｔｏｏｔｈ規格に基づき通信を行うが、それに限らず適用可能な他の任意の通信規格に従ってもよい。ローカル通信部１７は、通話音声そのものだけでなく、加入者情報カード１４に記憶されている電話番号、ユーザによる通信端末装置５０の操作に関する情報など、通話に関連する各種情報も通信できる。
【０１４８】
ローカル通信部１７は、接続されている他の通信端末装置５０と通信可能であるかを監視することもできる。たとえば、相手にデータを送信してから、一定時間待っても返信データを受信できないなど、相手側の通信端末装置５０からの信号を受信できなくなったとき、通信不可であると判定する。
【０１４９】
（通信可能の判定）
通信を開始した直後では、親機と子機とは十分に近くに存在するため、互いに通信できる。ここで、ユーザが、子機を持ち出すとする。子機が親機から十分に離れると、子機と親機との間で、電波が届かなくなる。すなわち、通信端末装置５０は、相手からの信号を受信できなくなる。Ｂｌｕｅｔｏｏｔｈ規格に従った通信では、定期的に発信されている信号、および、相手に何かを送信した事に対する返信信号を受信できる。したがって、信号を一定時間受信できなくなったら、ローカル通信部１７は、相手との通信ができなくなったと判定する。すなわち、通信相手が、通信可能な範囲から外に出たと判定する。
【０１５０】
ローカル通信部１７は、通信不可になったと判定したとき、その事実を、通信不可警告部５２に通知する。通信不可警告部５２は、親子判定部５１による親子判定の結果に基づき、通信端末装置５０が親機であるか子機であるかを判定する。以下では、通信端末装置５０が子機である例を説明する。
【０１５１】
（通信不可であることの警告）
通信不可警告部５２は、通信端末装置５０の一時メモリ１９から、通信端末装置５０が子機であるとき、ユーザにどのような警告を発するかを表す情報を読み出す。通常は、ユーザが通信端末装置５０を操作して設定した情報を読み出す。また、通信端末装置５０にマナーモードが設定されているか否かによっても、この情報は異なる。
【０１５２】
通信付加警告部５２は、一時メモリ１９から読み出した情報に基づいてユーザに警告を発する。具体的には、通信不可警告部５２は、通信端末装置５０が現在通信できないことを、着信などと同様に、電子音、メロディ、または振動などによって、ユーザに警告する。
【０１５３】
（通信可能であることの通知）
次に、子機と親機とが十分に近づき、通信できる状態になった例を説明する。子機と親機が十分に近寄ると、ローカル通信部１７は、相手側からの信号が受信できるようになる。これにより、相手側からの信号を受信することによって、ローカル通信部１７は、通信可能になったと判定する。ローカル通信部１７は、通信可能になったと判定したら、その事実を、通信可能通知部５３に通知する。通信可能通知部５３は、通信不可警告部５２と同様に、親子判定部５１による判定結果に基づき、通信端末装置５０が親機または子機のどちらとして動作しているのかを知る。これにより、一時メモリ１９から、どのような通知をユーザに行うかを示す情報を読み出す。通信可能通知部５３は、読み出した情報に基づいて、現在親機と通信可能であることを、ユーザに通知する。
【０１５４】
（作用効果）
ユーザが、間違えて子機（だけ）を持って外出したときに、子機だけでは通話はできない。したがって、ユーザは大変困る。しかし、子機として動作している通信端末装置５０は、親機と通信できないとき、その旨をユーザに警告する。この警告を確認することによって、通信端末装置５０のユーザは、親機と通信できるところまで移動するなどして、通信端末装置５０が親機と再び通信できるようにする。すなわちユーザは、引き返せる程度のところで、子機だけを持ち出そうとしていることに気が付く。したがって、外出先において、通話できなくなることを防止できる。
【０１５６】
子機が親機と通信できない状態から、親機と通信できるようになったとき、ユーザは、その事実をすぐに通知される。これによりユーザは、子機を用いた通話が可能になったことを知ることができる。また親機は、子機との間で通知可能となり、子機が通話を開始する可能性があることを、すぐに把握できる。
【０１５７】
親子は、外出中に一緒に行動することがよくある。親が親機、子供が子機を持っていれば、加入者情報カード１４を利用した一つの公衆網回線を、複数の人間（すなわち通信端末装置５０）によって共有できる。したがって、たとえば、親が親機を持ち、子供が子機を持って外出した際などに、子機は、子供が親からはぐれそうになったとき、そのことを子供に警告してくれる。また、親と子供とが別行動中に、お互いが近寄ったら、そのことを親子に互いに通知できる。
【０１５８】
また、通信付加警告部５２は、通信端末装置５０が親機と通信しているときと、していないときとで、ユーザに異なる警告を発する。したがって通信端末装置５０は、警告を受けるときの通信端末装置５０の動作状況をユーザに知せることができる。
【０１５９】
〔実施形態４〕
本発明に係る第３の実施形態について、図６および図７を参照して以下に説明する。
【０１６０】
（通信端末装置６０）
図６は、本発明の第４実施形態に係る通信端末装置６０の要部構成を示すブロック図である。図６に示すように、本実施形態の通信端末装置６０は、図１に示す通信端末装置１に、さらに、充電状態検出部６１およびユーザ通知部６２を備えている構成である。
【０１６１】
（充電状態検出部６１）
充電状態検出部６１は、通信端末装置６０が充電状態であるか否かを判定する。具体的には、外部電源から通信端末装置６０に所定値以上の電流が供給されているか否かを検出する。所定値以上の電流が供給されているとき、充電状態検出部６１は、通信端末装置６０が充電状態にあると判定する。一方、所定値以上の電流が供給されていないとき、充電状態検出部６１は、通信端末装置６０が充電状態でないと判定する。したがって充電状態検出部６１は、たとえば、通信端末装置６０が充電コネクタに接続されているときに、通信端末装置６０が充電状態にあることを検知する。
【０１６２】
（ユーザ通知部６２）
ユーザ通知部６２は、通信端末装置６０の状態に変化があったことを、ユーザに通知する。ユーザ通知部６２は、たとえば、液晶ディスプレイ、有機ＥＬ（Ｅｌｅｃｔｒｏ  Ｌｕｍｉｎｅｓｃｅｎｃｅ）ディスプレイ、ＬＥＤ（Ｌｉｇｈｔ  Ｅｍｉｔｔｉｎｇ  Ｄｉｏｄｅ）、スピーカー、バイブレータなど、ユーザが視覚、聴覚、触覚によって感知できる出力デバイス１１を通じて、ユーザに通知する。
【０１６３】
たとえば、ユーザ通知部６２は、たとえば、通信端末装置６０の画面に「カードが挿入されています」などの所定のメッセージを表示する。加入者情報カードが挿入されていなければ、通信端末装置６０は、親機に接続できる子機として動作している。加入者情報カードが挿入されていれば、通信端末装置６０は、子機としての通信端末装置６０からの接続を受ける、親機として動作している。すなわち、ユーザ通知部６２は、通信端末装置６０が親機または子機のいずれとして動作しているのかを、ユーザに通知する。
【０１６４】
（ユーザ通知部６２の処理）
ユーザ通知部６２は、カード挿入判定部１５および充電状態検出部６１からの情報に基づき、通信端末装置６０の状態をユーザに通知する。このときユーザ通知部６２が実行する処理について、図７を参照して以下に説明する。図７は、充電コネクタに接続されたときに通信端末装置６０が実行する処理の流れの一例を示すフローチャートである。以下では、ユーザ通知部６２が、発光ダイオード（ＬＥＤ）を介して通信端末装置６０の状態をユーザに通知する例を説明する。
【０１６５】
（ＬＥＤの利用）
通信端末装置６０には、図示しないＬＥＤが備えられている。充電状態になると、通信端末装置６０は、このＬＥＤを点灯させることによって、充電状態であることをユーザに通知する。ユーザ通知部６２は、親機として動作しているのか、子機として実行しているのかをユーザに通知するために、充電状態を示すＬＥＤを利用する。
【０１６６】
（充電状態の判定）
ユーザは通信端末装置を充電用コネクタに接続する。これにより充電状態検出部６１は、外部電源から電流が供給されて通信端末装置６０が充電状態となったかどうかを判定する（ステップＳ７１）。充電状態であると判定されると、カード挿入判定部１５は、通信端末装置６０のカードインタフェース１３に加入者情報カード１４がが挿入されているか否かを判定する（ステップＳ７２）。加入者情報カード１４が挿入されているとき、通信端末装置６０は親機として動作している。よってユーザ通知部６２は、ＬＥＤに、通信端末装置６０が親機であること示す色（たとえば赤色）を点灯する。これによりユーザ通知部６２は、通信端末装置６０が充電中であり、かつ親機として動作していることをユーザに知らせる（ステップＳ７３）。
【０１６７】
一方、加入者情報カード１４がカードインタフェース１３に挿入されていないとき、通信端末装置６０は子機として動作している。そこでユーザ通知部６２は、ＬＥＤを、通信端末装置６０が子機であることを示す色に（たとえば緑色）点灯する。これによりユーザ通知部６２は、通信端末装置６０が充電中であり、かつ子機として動作していることをユーザに通知する（ステップＳ７４）。
【０１６８】
（ＬＥＤの色）
通信端末装置６０では、ＬＥＤの色は初期設定のまま、変更できなくてもよい。または、ユーザが、好みの色に変更できるものであってもよい。このときユーザは、入力デバイス１０を通じて、通信端末装置６０が親機として動作しているときのＬＥＤの色、および子機として動作しているときのＬＥＤの色をそれぞれ入力し、通信端末装置６０に設定する。また、ユーザ通知部６２は、通信端末装置６０が親機であるか子機であるかをユーザに通知するとき、ＬＥＤ以外の表示デバイスを利用してもよい。たとえば、液晶ディスプレイまたは有機ＥＬディスプレイなどの所定のディスプレイに、通信端末装置６０が親機であるかまたは子機であるかを判別する文字、図形、または色などを表示させてもよい。
【０１６９】
（作用効果）
以上のように、ユーザ通知部６２は、通信端末装置６０が充電状態であるとき、加入者情報カードが通信端末装置６０に挿入されているか否かを、ユーザに通知する。通信端末装置６０が充電状態である場合、ユーザは、通信端末装置６０をある場所に置き続ける可能性が高い。したがって、通信端末装置６０は、どこかに持ち出される可能性が低い。これにより通信端末装置６０は、ユーザに、通信端末装置６０がある一定の場所におき続けられる場合における、通信端末装置６０の動作状態を知らせることができる。
【０１７０】
なお、ユーザ通知部６２は、通信端末装置６０が充電状態でなくなったときに、加入者情報カード１４が通信端末装置６０に挿入されているか否かを、ユーザに通知してもよい。このときユーザ通知部６２は、通信端末装置が充電状態でなくなったときに、加入者情報カード１４が通信端末装置６０に挿入されているか否かを、ユーザに通知する。通信端末装置６０が充電状態でなくなれば、ユーザは、通信端末装置６０を自由に持ち運びできる。したがって、ユーザ通知部６２は、ユーザに、通信端末装置６０を自由に持ち運びできる場合における、通信端末装置６０の動作状態を知ることができる。これにより通信端末装置６０は、たとえば、子機であり、単体では外部と通信できない通信端末装置６０を、ユーザが所持して外出することを防止できる。
【０１７１】
〔実施形態５〕
本発明に係る第５の実施形態について、図８および図９を参照して以下に説明する。
【０１７２】
（通信端末装置８０）
図８は、本発明の第５実施形態に係る通信端末装置８０の要部構成を示すブロック図である。図８に示すように、本実施形態の通信端末装置８０は、図６に示す通信端末装置６０に、さらに、着信状態検出部８１を備えている構成である。
【０１７３】
（着信状態検出部８１）
着信状態検出部８１は、通信端末装置における着信状態を検出する。すなわち、通信端末装置８０が着信を受けているか否かを判定する。
【０１７４】
（ユーザ通知部６２の処理）
ユーザ通知部６２は、カード挿入判定部１５、充電状態検出部６１、および着信状態検出部８１からの情報に基づき、ユーザに通信端末装置６０の状態を通知する。このときユーザ通知部６２が実行する処理について、図９を参照して以下に説明する。
【０１７５】
図９は、充電コネクタから外されたときに通信端末装置８０が実行する処理の流れの一例を示すフローチャートである。以下では、ユーザ通知部６２が、バイブレータを通じて通信端末装置８０を振動させることによって、通信端末装置８０の状態を、ユーザに通知する例を説明する。
【０１７６】
通信端末装置８０は、子機として動作している。すなわち、加入者情報カード１４は、カードインタフェース１３に挿入されていない。ユーザは、この通信端末装置８０を、外部に持ち出す。これを防ぐために、ユーザ通知部６２は、バイブレータを動作して、通信端末装置８０が充電コネクタから離れていることを、ユーザに通知する。
【０１７７】
（充電状態の検知）
ユーザは、通信端末装置８０を充電用コネクタから外す。これにより、充電状態検出部６１は、外部電源からの電流供給が終了したか否かを判定する（ステップＳ９１）。充電状態が終了したと判定されるとき、カード挿入判定部１５は、通信端末装置８０のカードインタフェース１３に加入者情報カード１４が挿入されているか否かを判定する（ステップＳ９２）。加入者情報カード１４が挿入されているとき、通信端末装置８０は、親機として動作している。したがってユーザ通知部６２は、ユーザに何も通知しない。
【０１７８】
（ユーザへの通知）
一方、加入者情報カード１４が挿入されていないとき、着信状態検出部８１は、通信端末装置が着信状態か否かを判定する（ステップＳ９３）。着信状態であるとき、ユーザは、通信端末装置８０を子機として使用する可能性が高い。したがって、ユーザ通知部６２は、ユーザに何も通知しない。一方、着信状態でないとき、ユーザは、通信端末装置８０を外部に持ち出そうとしている可能性が高い。したがって、ユーザ通知部６２は、バイブレータを動作させることによって、通信端末装置８０のカードインタフェース１３に、加入者情報カード１４が挿入されていないことを、ユーザに通知する（ステップＳ９４）。
【０１７９】
（通知の変形例）
ユーザは、通信端末装置８０を充電用コネクタから外してから、バイブレータが動作するまでにおける、一定の待ち時間を、通信端末装置８０に設定してもよい。その待ち時間の間に、ユーザが通信端末装置８０のボタンを押したり、クラムシェル型の筐体を開閉させるなどして、通信端末装置８０において何らかの操作を行った場合、ユーザ通知部６２は、その後、バイブレータを動作させなくてもよい。また、ユーザ通知部６２は、バイブレータを動作させる代わりに、スピーカーから何らかの通知音を出してもよい。または、ＬＥＤを点灯させてもよい。さらに、加入者情報カード１４がカードインタフェース１３に挿入されているか否かを示す何らかの情報を、液晶ディスプレイまたは有機ＥＬディスプレイなどの所定のディスプレイに表示してもよい。
【０１８１】
〔実施形態６〕
本発明に係る第６の本実施形態について、図１０から図１５を参照して以下に説明する。
【０１８２】
（通信システム５）
本発明の第６実施形態に係る通信システム５の概略構成を示す図である。この図に示すように、通信システム５は、公衆回線網を通じて基地局と相互に通信可能な親機１００と、親機とローカル接続して相互に通信可能な子機１００ａ，１００ｂとを含んでいる。
【０１８３】
通信システム５に含まれている親機１００、子機１００ａ、および子機１００ｂの詳細について、図１１を参照して以下に説明する。図１１は、本発明の第６実施形態に係る親機１００、子機１００ａ、および子機１００ｂの要部構成を示すブロック図である。
【０１８４】
（親機１００）
図１１に示すように、親機１００は、図１に示す通信端末装置１に、さらに、データ記憶部１０１、接続先記憶部１０２、同期開始部１０３、およびデータ同期部１０４を備えている構成である。
【０１８５】
（データ記憶部１０１）
データ記憶部１０１は、親機１００が管理する各種データを格納している。このデータ記憶部１０１は、親機１００において、メモリの一部である。
【０１８６】
（接続先記憶部１０２）
接続先記憶部１０２は、親機１００に接続されている子機に関する情報を格納している。この接続先記憶部１０２は、親機１００において、メモリの一部である。
【０１８７】
（同期開始部１０３）
同期開始部１０３は、親機１００と子機１００ａ、および親機１００と子機１００ｂとの間における、データの同期を開始する。この同期開始部１０３は、たとえば、ユーザが親機１００に備えている所定のボタンを押下することによって、その押下を検知し、データ同期を開始する。
【０１８８】
（データ同期部１０４）
データ同期部１０４は、親機１００と子機１００ａとの間で、および、親機１００と子機１００ｂとの間で、データ記憶部１０１に格納されているデータの同期を行う。すなわち、データ記憶部１０１に記憶されているデータを、子機１００ａおよび子機１００ｂに、ローカル通信部１７を通じて送信する。さらに、子機１００ａおよび子機１００ｂから送信されるデータを受信し、データ記憶部１０１に格納する。
【０１８９】
（子機１００ａ）
図１１に示すように、子機１００ａは、図１に示す通信端末装置１に、さらに、データ記憶部１０１ａ、接続先記憶部１０２ａ、およびデータ同期部１０４ａを備えている構成である。
【０１９０】
（データ記憶部１０１ａ）
データ記憶部１０１ａは、子機１００ａが管理する各種データを格納している。このデータ記憶部１０１ａは、子機１００ａにおいて、メモリの一部である。
【０１９１】
（接続先記憶部１０２）
接続先記憶部１０２は、子機１００ａが接続している親機に関する情報を格納している。この接続先記憶部１０２ａは、子機１００ａにおいて、メモリの一部である。
【０１９２】
（データ同期部１０４ａ）
データ同期部１０４ａは、親機１００との間で、データ記憶部１０１ａに格納されているデータの同期を行う。すなわち、データ記憶部１０１ａに記憶されているデータを、親機１００に、ローカル通信部１７を通じて送信する。さらに、親機１００から送信されるデータを受信し、データ記憶部１０１ａに格納する。
【０１９３】
（子機１００ｂ）
図１１に示すように、子機１００ｂは、図１に示す通信端末装置１に、さらに、データ記憶部１０１ｂ、接続先記憶部１０２ｂ、およびデータ同期部１０４ｂを備えている構成である。これらの部材は、子機１００ａに備えられている各種部材と同様であるため、その説明を省略する。
【０１９４】
（データ同期処理）
親機１００および子機１００ａとの間における、データの同期処理について、図１２を参照して以下に説明する。図１２は、親機１００および子機１００ａとの間における、データの同期処理の流れを説明するフローチャートである。
【０１９５】
（開始処理）
まず、親機１００と、子機１００ａとが、互いにローカル接続する（ステップＳ１２１、ステップＳ１２２）。ユーザは、親機１００に備えられている、データ同期の開始を指示する所定のボタンを押下する。この押下を、同期開始部１０３が検知し、データ同期を開始する（ステップＳ１２３）。具体的には、同期開始部１０３は、子機１００ａに、データ同期の開始をリクエストする（ステップＳ１２４）。このリクエストを、子機１００ａの同期開始部１０３ａが受信し、データ同期の開始を受信する（ステップＳ１２５）。
【０１９６】
（端末識別ＩＤの送信）
子機１００ａのデータ同期部１０４ａは、一時メモリ１９から、子機１００ａを識別する端末識別ＩＤを読み出し、親機１００に送信する（ステップＳ１２６）。子機１００ａから送信された端末識別ＩＤを、親機１００ではデータ同期部１０４が受信し、接続先記憶部１０２に格納する（ステップＳ１２７）。つぎに、データ同期部１０４は、接続先記憶部１０２を識別する端末識別ＩＤを一時メモリ１９から読み出し、子機１００ａに送信する（ステップＳ１２８）。親機１００から送信された端末識別ＩＤを、子機１００ａではデータ同期部１０４ｂａが受信し、接続先記憶部１０２ａに格納する（ステップＳ１２９）。
【０１９７】
以上の処理により、親機１００および子機１００ａは、接続されている端末に関する情報を互いに取得し、記憶する。
【０１９８】
（データの送信）
端末識別ＩＤを交換すると、子機１００ａでは、データ同期部１０４ａが、データ記憶部１０１ａからデータを読み出し、接続先記憶部１０２ａに記憶されている親機１００に送信する（ステップＳ１３０）。これにより親機１００において、データ同期部１０４が、子機１００ａから送信されたデータと、データ記憶部１０１に格納されている親機１００のデータとを合成する。すなわち、親機１００は、図１３に示すデータ同期処理Ａを開始する。一方、子機１００ａは、図１４に示すデータ同期処理Ｂを開始する。
【０１９９】
（データの例）
親機１００および子機１００ａがそれぞれ有しているデータの例について、図１５を参照して以下に説明する。図１５は、各端末が保持しているデータを示す図であり、（ａ）は、親機１００がデータ記憶部１０１に格納しているデータの例を示す図であり、（ｂ）は、子機１００ａがデータ記憶部１０１ａに格納しているデータの例を示す図であり、（ｃ）は、データ同期後に、親機１００がデータ記憶部１０１に格納しているデータの例を示す図である。
【０２００】
（データ同期処理Ａ）
親機１００が実行するデータ同期について、図１３を参照して以下に説明する。図１３は、親機１００が実行するデータ同期処理の流れを示すフローチャートである。
【０２０１】
まず、データ同期部１０４は、ある項目のデータが、データ記憶部１０１に格納されているか否かを判定する（ステップＳ１３１）。ステップＳ１３１における判定結果が「偽」であるとき（Ｎｏ）、データ同期部１０４は、つぎに、この項目のデータを、子機１００ａから受信したか否かを判定する（ステップＳ１３２）。ステップＳ１３２における判定結果が「偽」であるとき（Ｎｏ）、この項目のデータは親機１００および子機１００ａのいずれにも存在しないので、データ同期部１０４は何もしない。すなわち、図１３に示す処理を終了する。
【０２０２】
（子機１００ａのデータを使用する）
一方、ステップＳ１３２における判定結果が「真」であるとき（Ｙｅｓ）、すなわち、この項目のデータを、子機１００ａから受信したと判定するとき、データ同期部１０４は、子機１００ａのデータを使用することを決定する（ステップＳ１３３）。すなわち、受信した子機１００ａのデータを、データ記憶部１０１に格納する。図１５では、Ｂさんの電話番号データが、この例に相当する。
【０２０３】
（親機１００のデータを使用する）
一方、ステップＳ１３１における判定結果が「真」であるとき（Ｙｅｓ）、すなわち、ある項目のデータが、親機１００のデータ記憶部１０１に格納されていると判定するとき、データ同期部１０４は、つぎに、この項目のデータを、子機１００ａから受信したか否かを判定する（ステップＳ１３４）。ステップＳ１３４における判定結果が「偽」であるとき（Ｎｏ）、データ同期部１０４は、この項目のデータのデータに関して、親機１００のデータをそのまま使用することを決定する（ステップＳ１３７）。したがって、データ記憶部１０１に格納されているデータを、そのまま変更しない。図１５では、Ａさんの電話番号データが、この例に相当する。
【０２０４】
（等しいときは親機１００のデータを使用する）
一方、ステップＳ１３４における判定結果が「真」であるとき（Ｙｅｓ）、データ同期部１０４は、２つのデータが等しいか否かを判定する（ステップＳ１３５）。このとき、ステップＳ１３５における判定結果が「真」であるとき（Ｙｅｓ）、すなわち、親機１００のデータと、子機１００ａのデータとが等しいと判定するとき、データ同期部１０４は、この項目に関して、親機１００のデータをそのまま使用することを決定する（ステップＳ１３７）。したがって、データ記憶部１０１に格納されているデータを、そのまま変更しない。図１５では、Ｃさんの電話番号データが、この例に相当する。
【０２０５】
（データが異なるときはユーザが選択）
一方、ステップＳ１３５における判定結果が「偽」であるとき（Ｙｅｓ）、すなわち、親機１００のデータと、子機１００ａのデータとが異なると判定するとき、データ同期部１０４は、どちらのデータをデータ記憶部１０１に格納すべきか、自身では判定できない。そこで、親機１００は、ユーザに、どちらのデータを選択するのかの入力を求める。たとえば、親機１００において、入出力制御部１２が、ディスプレイとしての出力デバイス１１に「使用するデータを選択してください」などのメッセージを表示する。ユーザは、入力デバイス１０を通じて、どちらのデータをデータ記憶部１０１に格納するのかを選択する。この選択結果を、入出力制御部１２が受け付け、データ同期部１０４に通知する。この通知を受けたデータ同期部１０４は、ユーザが、親機１００のデータを選択したか否かを判定する（ステップＳ１３６）
ステップＳ１３６における判定結果が「真」であるとき（Ｙｅｓ）、データ同期部１０４は、この項目に関して、親機１００のデータをそのまま使用することを決定する（ステップＳ１３７）。したがって、データ記憶部１０１に格納されているデータを、そのまま変更しない。図１５では、Ｄさんの電話番号データが、この例に相当する。
【０２０６】
（ユーザの選択により子機１００ａのデータを使用）
一方、ステップＳ１３６における判定結果が「偽」であるとき（Ｎｏ）、データ同期部１０４は、この項目に関して、子機１００ａのデータを使用することを決定する（ステップＳ１３３）。したがって、受信した子機１００ａのデータによって、データ記憶部１０１に格納されている、親機１００のデータを上書きする。
【０２０７】
以上の処理によって、親機１００のデータ記憶部１０１に格納されているデータは、図１５（ｃ）に示す通りになる。この図に示すように、データの合成後、親機１００のデータ記憶部１０１には、親機１００のデータとして、Ａさん、Ｂさん、およびＤさんの電話番号データが記憶されている。一方、子機１００ａのデータとして、Ｃさんの電話番号データが記憶されている。
【０２０８】
（データ同期処理Ｂ）
親機１００では、データ同期部１０４が、データ記憶部１０１から充親機１００のデータを読み出し、接続先記憶部１０２に情報が記憶されている子機１００ａに送信する。子機１００ａでは、データ同期部１０４が、親機１００から送信されたデータを受信し、データ記憶部１０１ａに格納されている子機１００ａのデータと合成する。
【０２０９】
子機１００ａが実行するデータ同期について、図１４を参照して以下に説明する。図１４は、子機１００ａが実行するデータ同期処理の流れを示すフローチャートである。まず、データ同期部１０４ａは、接続先記憶部１０２から送信されたデータを受信し、一時メモリ１９に保存する（ステップＳ１４１）。つぎに、データ同期部１０４ａは、受信したデータの項目を特定し、この項目のデータに関するデータが、データ記憶部１０１ａに格納ているか否かを判定する（ステップＳ１４２）。ステップＳ１４２における判定結果が「偽」であるとき（Ｎｏ）、データ同期部１０４ａは、受信した親機１００のデータを使用することを決定する（ステップＳ１４３）。したがって、受信した親機１００のデータによって、データ記憶部１０１ａに格納されている、子機１００ａのデータを上書きする。図１５では、Ａさんの電話番号データが、この例に相当する。
【０２１０】
（等しいときは子機のデータを使用する）
一方、ステップＳ１４２における判定結果が「真」であるとき（Ｙｅｓ）、同期開始部１０３ａは、２つのデータが等しいか否かを判定する（ステップＳ１４４）。このとき、ステップＳ１４４における判定結果が「真」であるとき（Ｙｅｓ）、すなわち、親機１００のデータと、子機１００ａのデータとが等しいと判定するとき、同期開始部１０３ａは、この項目のデータに関して、子機１００ａのデータをそのまま使用することを決定する（ステップＳ１４６）。したがって、データ記憶部１０１ａに格納されているデータを、そのまま変更しない。図１５では、ＢさんおよびＣさんの電話番号データが、この例に相当する。
【０２１１】
（データが異なるときはユーザが選択）
一方、ステップＳ１４４における判定結果が「偽」であるとき（Ｙｅｓ）、すなわち、親機１００のデータと、子機１００ａのデータとは異なると判定するとき、データ同期部１０４は、どちらのデータをデータ記憶部１０１ａに格納すべきか、判定できない。そこで、子機１００ａは、ユーザに、どちらかのデータを選択させる。ユーザは、入力デバイス１０を通じて、どちらのデータをデータ記憶部１０１ａに格納するのかを選択する。この選択結果を、入出力制御部１２が受け付け、データ同期部１０４ａに通知する。この通知を受けて、データ同期部１０４ａは、ユーザが、子機１００ａのデータを選択したか否かを判定する（ステップＳ１４５）
このとき、ステップＳ１４５における判定結果が「真」であるとき（Ｙｅｓ）、データ同期部１０４ａは、この項目に関して、子機１００ａのデータをそのまま使用することを決定する（ステップＳ１４６）。したがって、データ記憶部１０１ａに格納されているデータを、そのまま変更しない。図１５では、Ｄさんの電話番号データが、この例に相当する。
【０２１２】
（ユーザの選択により親機１００のデータを使用）
一方、ステップＳ１４４における判定結果が「偽」であるとき（Ｎｏ）、データ同期部１０４ａは、この項目に関して、受信した親機１００のデータを使用することを決定する（ステップＳ１４３）。したがって、受信した親機１００のデータによって、データ記憶部１０１ａに格納されている、子機１００ａのデータを上書きする。
【０２１３】
（作用効果）
このように、子機１００ａのデータ同期部１０４ａは、親機１００に記憶されているデータを、子機１００ａに記憶されているデータと同期させる。したがって子機１００ａは、親機１００に記憶されているデータを使用できる。これにより、加入者情報カード１４を差し替えて、親機１００および子機１００ａを切り替えるユーザは、どちらの通信端末装置においても、同じデータを参照できる。したがって、ユーザが親機１００および子機１００ａを切り替えて使用するときの利便性を向上できる。
【０２１４】
また、ユーザの所有する、複数の通信端末装置同士で、データの同期を取れる。これにより、どの端末装置においても、原則として、同じデータを最新の状態で使用できる。たとえば、ユーザがある通信端末装置を１日使用して、使用後、その日に更新したデータ（発着信履歴および受信メールなど）を、他の通信端末装置に同期させる。これにより、翌日、ユーザが別の通信端末装置を使用したとき、前日に使用していた最新の更新データを使用できる。
【０２１５】
（受信データの転送）
親機１００は、公衆回線網を通じて、外部からたとえば電子メールなどのデータを受信する。この受信データを、親機１００は、ローカル接続網を介して子機１００ａに送信できる。このとき親機１００では、公衆網通信部１６が、受信したデータをいったん、ローカル通信部１７に出力する。これにより、ローカル通信部１７は、受信したデータを受信データを解析し、解析結果を一時メモリ１９に格納する。たとえば、電子メールのヘッダ情報を解析し、差出人メールアドレスを抽出する。さらに、接続先記憶部１０２に格納されている情報に基づき、親機１００に接続されている子機が存在するか否かを判定する。
【０２１６】
接続中の子機を特定できなければ、親機１００は特に何もしない。一方、接続中の子機があるなら、ローカル通信部１７は、一時メモリ１９にあらかじめ記憶されている、この子機へのデータ転送に関する情報を読み出す。ローカル通信部１７は、受信データの解析結果（たとえば差出人メールアドレス）と、一時メモリ１９から読み出した、転送設定情報とを比較する。両者の情報が一致しなければ、ローカル接続部１８は子機に受信データを転送しない。両者の情報が一致するなら、ローカル接続部１８は、その子機にデータを転送する。
【０２１７】
（転送設定情報の設定について）
親機１００は、接続先記憶部１０２に登録されている子機ごとに、転送する受信データの識別情報を、任意に設定してもよい。受信データの識別情報とは、たとえば、受信メールの差出人メールアドレス、受信メールのサブジェクト、サーバから自動配信されるデータの種別などである。プッシュ配信型サービスによって送信される、各種コンテンツごとに、転送先を指定してもよい。たとえば、ニュース記事は子機１００ａに、テレビガイド情報は子機１００ｂに転送するなどの設定が、親機１００になされていてもよい。
【０２１８】
（作用効果）
データ同期部１０４は、親機１００が受信したデータを、子機１００ａに転送する。このとき親機１００は、各子機に対して、転送する受信データを指定できる。すなわち親機１００が複数の子機と通信接続しているとき、データ同期部１０４は、データの内容に応じて、子機１００ａおよび子機１００ａに、データを振り分けて転送する。たとえば、ユーザの仕事に関するデータを、子機１００ａにのみ転送し、ユーザのプライベートに関するデータを、子機１００ｂのみに転送する。これによりユーザは、子機１００ａおよび子機１００ｂを、用途に応じて使い分けることができる。また、通常使っていない、加入者情報カード１４が挿入されていない通信端末装置を子機として使うことによって、受信データを閲覧するための機能を、子機に新たに載する必要がなくなる。
【０２１９】
〔実施形態７〕
本発明に係る第７の本実施形態について、図１６から図１８を参照して以下に説明する。
【０２２０】
（通信端末装置１６０）
図１６は、本発明の第７本実施形態に係る通信端末装置１６０の要部構成を示すブロック図である。図１６に示すように、本実施形態の通信端末装置１６０は、図１に示す通信端末装置１に、さらに、動作設定部１６１を備えている構成である。
【０２２１】
（動作モード）
通信端末装置１６０は、設定されている動作モードに基づき動作する。ここでいう動作モードには、通常動作モードおよび強制子機モードがある。通常動作モードは、上述した第１実施形態における通信端末装置のように、加入者情報カード１４がカードインタフェース１３に挿入されているときに、通信端末装置１６０が子機として動作する動作モードである。強制子機モードは、カードインタフェース１３に加入者情報カード１４が挿入されているか否かに関わらず、通信端末装置１６０が子機として動作する動作モードである。
【０２２２】
（動作モードの設定）
ユーザは、入力デバイス１０を通じて、通信端末装置１６０の動作モードに関する情報を入力する。この入力を入出力制御部１２が受け付け、一時メモリ１９に格納する。ユーザは、通信端末装置１６０に備えている各種のボタンを押下することによって、この設定を入力すればよい。または、所定のディスプレイに表示されている設定画面を通じて、動作モードを指定すればよい。
【０２２３】
（動作設定部１６１）
動作設定部１６１は、通信端末装置１６０の動作モードを設定する。動作設定部１６１は、一時メモリ１９に記憶されている、ユーザが選択した動作モードを通信端末装置１６０に設定する。すなわち、通信端末装置１６０が、通常動作モードまたは強制子機モードのいずれの動作モードによって動作するかを、通信端末装置１６０に設定する。
【０２２４】
（動作モードの確認処理）
通信端末装置１６０における、親子接続処理の初期化段階について、図１７を参照して以下に説明する。図１７は、強制子機モードが設定されている通信端末装置１６０が、強制的に子機として動作し、親機に接続するときの処理の流れの一例を示すフローチャートである。
【０２２５】
動作設定部１６１は、一時メモリ１９に格納されている、動作モードの設定を確認する（ステップＳ１７１）。これにより、動作設定部１６１は、動作モードが、強制子機モードであるか否かを判定する（ステップＳ１７２）。ステップＳ１７２における判定結果が「偽」であるとき（Ｎｏ）、すなわち、動作モードが通常動作モードであるとき、通信端末装置１６０は、通常の接続初期化処理を行う。すなわち、加入者情報カード１４がカードインタフェース１３に挿入されているときに、子機として動作し、親機としての通信端末装置１６０にローカル接続する。
【０２２６】
一方、ステップＳ１７２における判定結果が「真」であるとき（Ｙｅｓ）、すなわち、動作モードが強制子機モードであるとき、通信端末装置１６０は、強制的に子機として実行する。すなわち、加入者情報カード１４がカードインタフェース１３に挿入されているか否かの判定を行わずに、直ちに、親機として実行する通信端末装置１６０とのローカル接続を試みる。
【０２２７】
以降の処理は、いずれも、図２に示す処理と同一であるため、その説明を省略する。
【０２２８】
（作用効果）
以上のように、通信端末装置１６０は、子機として動作するように設定されているとき、加入者情報カード１４が挿入されているか否かに関わらず、無条件で、親機と直接、通信する。したがってユーザは、加入者情報カード１４が挿入されている通信端末装置１６０であっても、子機として利用できる。
【０２２９】
（外部からの通信）
通信端末装置１６０が強制子機モードにおいて動作するとき、公衆網通信部１６は、公衆回線網を通じて、外部と通信できる。加入者情報カード１４に設定されている加入者に、外部から、電話の着信などの通信が発生すると、公衆網通信部１６は、動作設定部１６１に、通信網の切り替えをリクエストする。
【０２３０】
公衆網通信部１６からのリクエストに応じて、動作設定部１６１は、現在の動作モードに関する情報を、一時的に一時メモリ１９に退避する。さらに、現在設定されている動作モードをリセットする。これにより通信端末装置１６０は子機として動作しなくなるため、公衆網通信部１６は、公衆回線網を通じた外部との通信を行う。
【０２３１】
この通信が終了すると、公衆網通信部１６は、動作モードの復帰を動作設定部１６１にリクエストする。このリクエストを受けた動作設定部１６１は、動作モードを、一時メモリ１９に一時的に退避させたモードに復帰させる。通信端末装置１６０は、復帰した動作モードに従い動作する。たとえば動作設定部１６１が、復帰させた動作モードに応じて、ローカル通信部１７を初期化する。
【０２３２】
（処理の流れ）
このときの処理の流れについて図１８を参照して以下に説明する。図１８は、外部からの通信要求が発生したときにおける、通信端末装置１６０が実行する処理の流れを示すフローチャートである。
【０２３３】
外部からの通信要求が発生すると（ステップＳ１８１）、公衆網通信部１６は、カードインタフェース１３に挿入されている加入者情報カード１４に記憶されている各種情報を確認することによって、その通信要求が、自装置あてのものであるか否かを判定する。
【０２３４】
通信要求の例として、電話の着呼、およびショートメールの着信など、外部から強制的にやってくる通信がある。さらに、電子メールの送受信、およびチャットデータの送受信などのように、公衆網通信部１６が定期的に公衆回線網に接続して、サーバからの通信要求を検知することも該当する。
【０２３５】
（動作モードの退避）
外部からの通信要求が発生すると、動作設定部１６１は、一時メモリ１９に格納されているモード設定を、同じく一時メモリ１９の中の、モード退避用の格納場所に退避する（ステップＳ１８２）。次に通信端末装置１６０は、自装置の通信機能を、公衆回線網に切り替える（ステップＳ１８３）。これにより公衆網通信部１６は、公衆回線網を通じて外部と通信する。具体的には、電話の着呼、またはショートメールの着信に関する通信処理を行う（ステップＳ１８４）。
【０２３６】
通信が終了すると、公衆網通信部１６は、動作モードの復帰を動作設定部１６１にリクエストする。これにより処理制御部１６１は、一時メモリ１９内のモード退避用の格納場所から、外部との通信が始まる前における動作モードを読み出し、再設定する（ステップＳ１８５）。
【０２３７】
その後、動作設定部１６１は、図１７に示す手順を再実行する。これにより、通信端末装置１６０は外部からの通信要求が発生する前の状態に復旧する（ステップＳ１８６）。
【０２３８】
このように通信端末装置１６０は、強制的に子機として動作するモードが設定されていても、加入者情報カード１４を利用した電話やメールの受信がスムーズに行える。さらに、通信の終了後は、元の動作モードに復帰できる。
【０２３９】
（作用効果）
以上のように、本実施形態では、通信端末装置１００は、子機として動作しているときも、外部から通信が発生すれば、加入者情報カード１４を利用する、子機ではない通常の通信端末装置１００として動作する。したがって、外部からの通信を、確実に受信できる。さらに、外部からの通信を受けるとき、通信端末装置１００の動作モードは、自動的に切り替わる。したがって、ユーザが動作モードを切り替える必要がない。これによりユーザは、無駄な時間を消費することなく、目的とする通信をすぐに行うことができる。
【０２４０】
〔実施形態８〕
本発明に係る第８の本実施形態について、図１９および図２０を参照して以下に説明する。
【０２４１】
（通信システム６）
図１９は、本発明の第８実施形態に係る通信システム５の概略構成を示す図である。この図に示すように、通信システム５は、公衆回線網を通じて基地局と相互に通信可能な親機１９０と、親機とローカル接続して相互に通信可能な子機１９０ａ，１９０ｂとを含んでいる。
【０２４２】
（親機１９０）
通信システム６に含まれている親機１００、子機１００ａ、および子機１００ｂの詳細について、図１９を参照して以下に説明する。図１９に示すように、本実施形態の親機１９０は、図６に示す通信端末装置６０に、さらに、コンテンツ記憶部１９１、コンテンツ再生部１９２、コンテンツ情報送信部１９３、および再生データ送信部１９４を備えている構成である。
【０２４３】
（コンテンツ記憶部１９１）
コンテンツ記憶部１９１は、通信端末装置１９０が再生できる各種コンテンツを格納している。このコンテンツ記憶部１９１は、親機１９０において、メモリの一部である。
【０２４４】
（コンテンツ再生部１９２）
コンテンツ再生部１９２は、子機１９０ａから再生のリクエストがあったコンテンツを、コンテンツ記憶部１９１から読み出し、再生する。これによりコンテンツ再生部１９２は、コンテンツが再生されたときに出力デバイス１１から出力されるもの（たとえば音）を表す再生データを作成する。子機１９０ｂからリクエストがあった場合も、同様にする。
【０２４５】
（コンテンツ情報送信部１９３）
コンテンツ情報送信部１９３は、コンテンツ記憶部１９１に格納されている、コンテンツのリストを、子機１９０ａからのリクエストに応じて、子機１９０ａに送信する。子機１９０ｂからリクエストがあった場合も、同様にする。
【０２４６】
（再生データ送信部１９４）
再生データ送信部１９４は、コンテンツ再生部１９２が生成した再生データを、子機１９０ａに送信する。子機１９０ｂに対しても、、同様にする。
【０２４７】
（子機１９０ａ）
図１９に示すように、子機１９０ａは、再生データ受信部１９１ａ、再生データ再生部１９２ａ、コンテンツ情報取得部１９３ａ、およびコンテンツ選択指示部１９４ａを備えている。
【０２４８】
（再生データ受信部１９１ａ）
再生データ受信部１９１ａは、親機１９０の再生データ送信部１９４から送信された再生データを受信し、一時メモリ１９に格納する。
【０２４９】
（再生データ再生部１９２ａ）
再生データ再生部１９２ａは、再生データ受信部１９１ａが受信した再生データを一時メモリ１９から読み出し、再生する。これにより、再生データ再生部１９２ａは、コンテンツを再生した結果（音、映像等）を、出力デバイス１１に出力する。
【０２５０】
（コンテンツ情報取得部１９３ａ）
コンテンツ情報取得部１９３ａは、親機１９０が管理しているコンテンツのリストを、親機１９０から取得する。具体的には、コンテンツ情報取得部１９３ａは、親機１９０がコンテンツ記憶部１９１に格納しているコンテンツのリストを、子機１９０ａに送信するように、親機１９０にリクエストする。これによりコンテンツ情報取得部１９３ａは、親機１９０から送信された、コンテンツのリストを受信し、コンテンツ記憶部１９１ａに格納する。
【０２５１】
（コンテンツ選択指示部１９４ａ）
コンテンツ選択指示部１９４ａは、コンテンツのリストからユーザが選択したコンテンツを、親機１９０において再生するように、親機１９０に指示する。
【０２５２】
（子機１９０ｂ）
図１９に示すように、子機１９０ｂは、再生データ受信部１９１ｂ、再生データ再生部１９２ｂ、コンテンツ情報取得部１９３ｂ、およびコンテンツ選択指示部１９４ｂを備えている。子機１９０ｂが備えているこれら各部材は、子機１９０ａが備えている各部材と同一であるため、説明を省略する。
【０２５３】
（音楽データリストのリクエスト）
図２０は、親機１９０において再生した作成した音データを、子機１９０ａが取得し再生するときの処理の流れを示すフローチャートである。以下に説明する例では、親機１９０は、音楽データのリストを、コンテンツ記憶部１９１に格納している。子機１９０ａにおいて、コンテンツ情報取得部１９３ａが、音楽データのリストを子機１９０ａに送信することを、通信端末装置１９０にリクエストする（ステップＳ２０１）。このリクエストに応じて、親機１９０では、コンテンツ情報送信部１９３が、音楽データのリストをコンテンツ記憶部１９１から読み出し、子機１９０ａに送信する。子機１９０ａでは、送信された音楽データリストを、コンテンツ情報取得部１９３ａが受信し、一時メモリ１９に格納する。
【０２５４】
（楽曲の選択、および再生リクエスト）
子機１９０ａでは、入出力制御部１２が、一時メモリ１９に記憶されている音楽データリストを読み出し、このリストに含まれている楽曲に関する情報を、ディスプレイなどの出力デバイス１１に表示する。これにより、入力デバイス１０を通じて、ユーザが、目的の楽曲（コンテンツ）を選択する。ユーザによる選択を、入出力制御部１２が受け付け、その情報をコンテンツ選択指示部１９４ａに通知する。コンテンツ選択指示部１９４ａは、ユーザが選択した音楽データを再生するように、親機１９０にリクエストする（ステップＳ２０２）。
【０２５５】
このリクエストを受けて、親機１９０では、コンテンツ再生部１９２が、コンテンツ選択指示部１９４ａが指示した音楽データを再生できるアプリケーションを起動することによって、音楽データを再生する。これによりコンテンツ再生部１９２は、再生された音を示す音データ（再生データ）を生成する。再生データ送信部１９４は、音データを子機１９０ａに送信する。子機１９０ａでは、送信された再生データを、再生データ受信部１９１ａが受信し、一時メモリ１９に格納する。一時メモリ１９に格納されている音データを、再生データ再生部１９２ａが再生することによって、ヘッドホンやスピーカーなどの出力デバイス１１に音声を出力する（ステップＳ２０４）。これによりユーザは、再生された音声を聴く。
【０２５６】
親機１９０において、コンテンツ再生部１９２は、楽曲データの再生を終了したか否かを判定する（ステップＳ２０５）。終了しないと判定するとき、コンテンツ再生部１９２は、楽曲データの再生を繰り返す。一方、終了したと判定するとき、親機１９０の動作設定部１６１は、そのことを子機１９０ａに通知する（ステップＳ２０５）。この通知を受信した子機１９０ａは、再生終了処理を実行する（ステップＳ２０６）。これにより子機１９０ａは、たとえば、待ち受け画面を表示する。親機１９０も同様に、再生終了処理を行う（ステップＳ２０６）。
【０２５７】
（作用効果）
このように、再生データ受信部１９１ａは、親機１９０がコンテンツを再生することによって生成した再生データを取得する。これにより、子機１９０ａでは、たとえば、再生データを再生することによって、親機１９０のコンテンツを間接的に再生できる。したがって、親機１９０のコンテンツを再生できない子機１９０ａであっても、親機１９０のコンテンツを再生できる。すなわち子機１９０ａは、親機１９０のコンテンツを利用できる。したがって、各端末装置は同じコンテンツを持たなくてもよい。これにより子機１９０ａのメモリを節約できる。
【０２５８】
また、親機１９０のコンテンツ記憶部１９１に保存されている、音楽データなどの、著作権があるデータを、親機１９０だけでなく、本接続している子機１９０ａも、再生できる。したがって、同じコンテンツを、ユーザは、親機１９０を通じてだけでなく、子機１９０ａを通じても楽しむことができる。
【０２５９】
（セキュアデータの転送）
次に、親機１９０が、子機１９０ａに、著作権保護されているセキュアデータ（コンテンツデータ）を送信する例について、図２１を参照して以下に説明する。図２１は、親機１９０が子機１９０ａにセキュアデータを送信するときにおける、親機１９０および子機１９０ａがそれぞれ実行する処理の流れの一例を示すフローチャートである。
【０２６０】
まず、子機１９０ａは、セキュアデータを受信する準備を行う（ステップＳ２１１）。つぎに、親機１９０が、セキュアデータを送信する準備を行う。これにより親機１９０は、セキュアデータを送信できる状態になり、親機１９０のローカル通信部１７が、セキュアデータを子機１９０ａに送信する（ステップＳ２１３）。子機１９０ａでは、ローカル通信部１７が、セキュアデータを受信する。子機１９０ａのローカル通信部１７は、このとき、セキュアデータの受信を完了したか否かを判定する（ステップＳ２１３）。完了しないと判定するとき、ローカル通信部１７は、セキュアデータの受信を続ける。一方、完了したと判定するとき、親機１９０は、子機１９０ａに送信したセキュアデータを、コンテンツ記憶部１９１から削除する（ステップＳ２１４）。親機１９０は、セキュアデータを削除したことを、子機１９０ａに通知する。この通知を受けた子機１９０ａは、再生終了処理を実行する（ステップＳ２１５）。これにより子機１９０ａは、たとえば、待ち受け画面を表示する。親機１９０も同様に、再生終了処理を行う（ステップＳ２１６）。
【０２６１】
（作用効果）
以上のように、本実施形態では、親機１９０と子機１９０ａとの間において、著作権を有するセキュアデータであっても、移動したりコピーしたりできる。したがって各端末装置は、同じ楽曲データなどのセキュアデータを、個別に用意しなくてもよい。これにより、ユーザが余計な出費を強いられることを防止できる。
【０２６２】
（コンテンツの例）
なお、以上に説明した「コンテンツ」は、たとえば、通信端末装置（親機、子機）上で再生したり閲覧したりできる各種のデータを意味する。したがって、音楽データ、動画データ、画像データ、およびテキストデータなどが、コンテンツに該当する。また、コンテンツは、有償または無償を問わず、通信端末装置が入手したデータである。通信端末装置は、これらのデータを、インターネットを通じてダウンロードしたり、メールの添付ファイルとして受信したり、またはパーソナルコンピュータなどの他の機器と通信したりすることによって、入手できる。あるいは、ユーザ自身が通信端末装置において作成したデータも、コンテンツとして利用できる。
【０２６３】
〔実施形態９〕
本発明に係る第９の本実施形態について、図２２から図３０を参照して以下に説明する。
【０２６４】
（通信システム７）
図２２は、本発明に係る通信システム７の概略構成を示す図である。この図に示す通信システム７は、公衆回線網を通じて基地局と相互に通信可能な親機Ｘと、親機Ｘとローカル接続して相互に通信可能な子機ＡおよびＢとを含んでいる。通信システムに含まれている親機Ｘ、子機Ａ、および子機Ｂの詳細について、図２２を参照して以下に説明する。
【０２６５】
（親機Ｘ）
図２２に示すように、本実施形態の親機Ｘは、図３に示す通信端末装置３０に、さらに、残金値記憶部２２１および残金値通知部２２２を備えている構成である。親機Ｘは、いわゆる電子マネー機能を有している。したがってユーザは、親機Ｘを使って買い物をしたり、サービスの料金を支払うことができる。
【０２６６】
この親機Ｘでは、加入者情報カード１４がカードインタフェース１３に挿入されている。さらに、親機Ｘには、子機Ａおよび子機Ｂが本接続している。したがって、親機Ｘの接続先記憶部１０２には、子機Ａおよび子機Ｂが、接続元として登録されている。
【０２６７】
（残金値記憶部２２１）
残金値記憶部２２１は、親機Ｘが管理している電子マネーの残金の値を格納している。ユーザは、親機Ｘを通じて、この残金値記憶部２２１に記憶されている値の残金を、電子マネーとして買い物やサービス利用料金の支払いに使用できる。
【０２６８】
（残金値通知部２２２）
残金値通知部２２２は、親機Ｘに本接続している子機に、親機Ｘの残金値記憶部２２１に記憶されている電子マネーの残金値を通知する。この通知により、図２２に示す例では、親機Ｘ、子機Ａ、および子機Ｂは、電子マネーの残金値を共有して管理できる。
【０２６９】
（子機Ａ）
子機Ａでは、加入者情報カード１４はカードインタフェース１３に挿入されていない。子機Ａの接続先記憶部１０２には、接続先として、親機Ｘが登録されている。この子機Ａは、残金値記憶部２２１ａおよび残金値通知部２２２ａを備えている。子機Ａの残金値記憶部２２１ａは、子機Ａが管理している電子マネーの残金値を格納している。残金値通知部２２２ａは、残金値記憶部２２１ａに記憶されている、子機Ａの電子マネー残金値を、親機Ｘに通知する。
【０２７０】
（子機Ｂ）
子機Ｂでは、加入者情報カード１４はカードインタフェース１３に挿入されていない。子機Ｂの接続先記憶部１０２には、接続先として、親機Ｘが登録されている。この子機Ｂは、残金値記憶部２２１ｂおよび残金値通知部２２２ｂを備えている。子機Ｂの残金値記憶部２２１ｂは、子機Ｂが管理している電子マネーの残金値を格納している。残金値通知部２２２ｂは、残金値記憶部２２１ｂに記憶されている、子機Ｂの電子マネー残金値を、親機Ｘに通知する。
【０２７１】
（処理の開始前）
電子マネー残金値を共有する前において、親機Ｘ、子機Ａ、および子機Ｂは、それぞれ、自身の残金値のみを記憶している。この時点における、各端末装置が管理している残金値の具体例について、図２３を参照して以下に説明する。
【０２７２】
図２３は、親機Ｘ、子機Ａ、および子機Ｂが、互いの残金値を共有する前において、それぞれ管理している残金値を示す図であり、（ａ）は、親機Ｘが管理している残金値を示す図であり、（ｂ）は、子機Ａが管理している残金値を示す図であり、（ｃ）は、子機Ｂが管理している残金値を示す図である。
【０２７３】
図２３（ａ）に示すように、親機Ｘは、親機Ｘの残金値として、「３０００」を残金値記憶部２２１に格納している。図２３（ｂ）に示すように、子機Ａは、子機Ａの残金値として、「１２０００」を残金値記憶部２２１ａに格納している。図２３（ｃ）に示すように、子機Ｂは、子機Ｂの残金値として、「５０００」を残金値記憶部２２１ｂに格納している。
【０２７４】
（親機Ｘと子機Ａを接続）
親機Ｘ、子機Ａ、および子機Ｂが、それぞれが管理している残金値を共有するときの処理の流れについて、図２４を参照して以下に説明する。図２４は、親機Ｘ、子機Ａ、および子機Ｂが、それぞれが管理している残金値を共有するときの処理の流れを示すフローチャートである。
【０２７５】
まず、親機Ｘと子機Ａとにおいて、残金値を共有する例について、以下に説明する。親機Ｘと子機Ａとにおいて、双方の接続判定部３２が、互いにローカル接続できるか否かを判定する。この判定結果に基づき、接続可能であれば、親機Ｘおよび子機Ａは互いにローカル接続する（ステップＳ２４１）。
【０２７６】
（親機Ｘと子機Ａの残金値をシェアする）
本接続が確立したら、親機Ｘにおける残金値通知部２２２が、残金値記憶部２２１から親機Ｘの残金値を読み出し、子機Ａに送信する。子機Ａでは、親機Ｘから送信された残金値を、残金値通知部２２２ａが受信し、親機Ｘの残金値として、残金値記憶部２２１ａに格納する。つぎに、子機Ａにおける残金値通知部２２２ａが、残金値記憶部２２１ａから子機Ａの残金値を読み出し、親機Ｘに送信する。親機Ｘでは、子機Ａから送信された残金値を、残金値通知部２２２が受信し、子機Ａの残金値として、残金値記憶部２２１に格納する。
【０２７７】
以上の処理により、まず、親機Ｘおよび子機Ａが、互いの残金値を共有する（ステップＳ２４２）。このとき子機Ａは、子機Ａが現在管理している電子マネーの残金値を、親機Ｘに通知する。これにより、親機Ｘは、その情報を、加入者情報記憶部３１に記憶する。残金値を正常に共有できたら、親機Ｘおよび子機Ａは、ローカル通信部１７を切断する。
【０２７８】
（共有後の残金値）
図２５は、親機Ｘおよび子機Ａが互いの残金値を共有した後において、親機Ｘ、子機Ａ、および子機Ｂがそれぞれ管理している残金値を示す図であり、（ａ）は、親機Ｘが管理している残金値を示す図であり、（ｂ）は、子機Ａが管理している残金値を示す図であり、（ｃ）は、子機Ｂが管理している残金値を示す図である。
【０２７９】
図２５に示すように、親機Ｘは、親機Ｘおよび子機Ａの残金値を、残金値記憶部２２１に格納している。さらに、子機Ａも親機Ｘと同じく、親機Ｘおよび子機Ａの残金値を、残金値記憶部２２１ａに格納している。すなわち親機Ｘおよび子機Ａは、両者の残金値を正常に共有している。一方、子機Ｂは、子機Ｂの残金値のみを残金値記憶部２２１ｂに格納している。すなわち、子機Ｂは、未だ、親機Ｘおよび子機Ａとの間で残金値を共有していない。
【０２８０】
（親機Ｘと子機Ｂを接続）
再び図２４を参照して、つぎに、親機Ｘおよび子機Ｂが、互いの残金値を共有する処理に流れについて、説明する。親機Ｘと子機Ｂとにおいて、双方の接続判定部３２が、互いにローカル接続できるか否かを判定する。この判定結果に基づき、接続可能であれば、親機Ｘおよび子機Ｂは、互いにローカル接続する（ステップＳ２４３）。
【０２８１】
（親機Ｘと子機Ｂの残金値をシェアする）
本接続が確立したら、親機Ｘにおける残金値通知部２２２が、残金値記憶部２２１から親機Ｘの残金値を読み出し、子機Ｂに送信する。子機Ｂでは、親機Ｘから送信された残金値を、残金値通知部２２２ｂが受信し、親機Ｘの残金値として、残金値記憶部２２１ｂに格納する。つぎに、子機Ｂにおける残金値通知部２２２ｂが、残金値記憶部２２１ｂから子機Ａの残金値を読み出し、親機Ｘに送信する。親機Ｘでは、子機Ｂから送信された残金値を、残金値通知部２２２が受信し、子機Ｂの残金値として、残金値記憶部２２１に格納する。
【０２８２】
以上の処理により、親機Ｘおよび子機Ｂが、互いの残金値を共有する（ステップＳ２４４）。このとき子機Ｂは、子機Ｂが現在管理している電子マネーの残金値を、親機Ｘに通知する。これにより、親機Ｘは、その情報を、加入者情報記憶部３１に記憶する。残金値を正常に共有できたら、親機Ｘおよび子機Ｂは、ローカル接続を切断する
（共有後の残金値）
図２６は、親機Ｘおよび子機Ｂが互いの残金値を共有した後における、親機Ｘ、子機Ａ、および子機Ｂがそれぞれ管理している残金値を示す図であり、（ａ）は、親機Ｘが管理している残金値を示す図であり、（ｂ）は、子機Ａが管理している残金値を示す図であり、（ｃ）は、子機Ｂが管理している残金値を示す図である。
【０２８３】
図２５（ａ）に示すように、親機Ｘは、親機Ｘ、子機Ａ、および子機Ｂの残金値を残金値記憶部２２１に格納している。また、図２５（ｂ）に示すように、子機Ａは、親機Ｘおよび子機Ａの残金値を残金値記憶部２２１ａに格納している。一方、図２５（ｃ）に示すように、子機Ｂは、親機Ｘおよび子機Ｂの残金値を残金値記憶部２２１ｂに格納している。すなわち、親機Ｘおよび子機Ｂは、互いの残金値を正常に共有している。
【０２８４】
（新たな子機登録があるか確認）
親機Ｘは、加入者情報記憶部３１に記憶されている、各子機が管理している残金値と、残金値記憶部２２１に記憶されている、親機Ｘが管理している残金値とを、それぞれ比較する。これにより残金値の共有が完全でない子機を検索する。
【０２８５】
（既に接続済みの子機の残金値を更新する）
残金値の共有が不完全な子機を検索すると、親機Ｘでは、接続判定部３２が、その子機とローカル接続できるか否かを判定する。接続できるなら、ローカル接続部１８が、親機Ｘとその子機とをローカル接続する。これにより親機Ｘに新たな子機が登録される。
【０２８６】
（子機Ａの残金値）
親機Ｘの残金値通知部２２２は、新たな子機が接続先記憶部１０２に登録されているか否かを判定する（ステップＳ２４５）。たとえば図２５（ａ）（ｂ）に示すように、親機Ｘと子機Ａでは未だ残金値の共有が不十分である。すなわち子機Ｂの残金値を共有できていない。したがって親機Ｘには、子機Ａが新たな子機として登録される。これにより親機Ｘの残金値通知部２２２は、親機Ｘが管理している子機Ｂの残金値を残金値記憶部２２１から読み出し、子機Ａに通知する。子機Ａでは、残金値通知部２２２ａが、送信された残金値を受信し子、機Ｂの残金値として、残金値記憶部２２１ａに格納する。
【０２８７】
（子機Ｂの残金値）
また、図２５（ａ）（ｃ）に示すように、親機Ｘと子機Ｂとにおいても未だ残金値の共有が不十分である。すなわち子機Ｂの残金値を共有できていない。したがって親機Ｘには、子機Ｂが新たな子機として登録される。これにより親機Ｘの残金値通知部２２２は、親機Ｘが管理している子機Ａの残金値を残金値記憶部２２１から読み出し、子機Ｂに通知する。子機Ｂでは、残金値通知部２２２ｂが、送信された残金値を受信し、子機Ａの残金値として残金値記憶部２２１ｂに格納する。
【０２８８】
以上の処理によって、親機Ｘ、子機Ａ、および子機Ｂは、図２６に示すように、互いの残金値を完全に共有する。すなわち、親機Ｘ、子機Ａ、および子機Ｂは、いずれも、親機Ｘの残金値として「３０００」、子機Ａの残金値として「１２０００」、および子機Ｂの残金値として「５０００」を、それぞれ管理している。
【０２８９】
（残金値を出力）
親機Ｘは、残金値記憶部２２１に記憶している残金値をユーザに通知できる。この例について、図２８を参照して以下に説明する。図２８は、ユーザに残金値を通知できる親機Ｘの装置外観を示す図である。図２８に示すように、親機Ｘは、入力デバイス１０として残金表示ボタン２８１を備えている。さらに、出力デバイス１１としてディスプレイ２８２を備えている。
【０２９０】
図２８では、親機Ｘのディスプレイ２８２の表示画面において、左下に、「残金表示」と表示されている。この表示は残金表示ボタン２８１の機能を示すものである。ここでいう機能とは、ユーザが残金表示ボタン２８１を押下した場合に通信端末装置２８０が実行する機能である。すなわちユーザが残金表示ボタン２８１を押下することによって、入出力制御部１２は、親機Ｘの残金値記憶部２２１に記憶されている残金値をディスプレイ２８２に表示する。
【０２９１】
親機Ｘが、残金値をディスプレイ２８２に表示するときの処理の流れについて、図２９を参照して以下に説明する。図２９は、親機Ｘが、電子マネーの残金値をディスプレイ２８２に表示するときの処理の流れを説明するフローチャートである。
【０２９２】
（入力待ち）
まず、入出力制御部１２は、ユーザによる入力を待っている（ステップＳ２９１）。つぎに、入出力制御部１２は、残金を表示する指示が、ユーザによってなされたか否かを判定する（ステップＳ２９２）。具体的には、ユーザが残金表示ボタン２８１を押下したか否かを判定する。ユーザが残金表示ボタン２８１を押下したときと判定するとき、入出力制御部１２は、残金値記憶部２２１から、親機Ｘの管理している残金値を読み出す（ステップＳ２９３）。入出力制御部１２は、読み出した残金値を、ディスプレイ２８２に表示する（ステップＳ２９４）
（表示する残金値の例）
入出力制御部１２がディスプレイ２８２に表示する残金値の例について、図３０を参照して以下に説明する。図３０は、入出力制御部１２がディスプレイ２８２に表示する残金値の例を示す図である。この図に示すように、入出力制御部１２は、残金値記憶部２２１に記憶されている、親機Ｘ、子機Ａ、および子機Ｂの残金値を、ディスプレイ２８２に表示する。この表示を確認することによって、ユーザは、親機Ｘに記憶されている、親機Ｘの残金値を知ることができる。加えて、親機Ｘに記憶されている、子機Ａおよび子機Ｂの残金も知ることができる。
【０２９３】
（作用効果）
以上のように、本実施形態では、親機Ｘは、子機Ａと、電子マネーの残金値の情報を共有する。したがって、親機Ｘを使用するユーザは、子機Ａの残金値を親機Ｘにおいて確認できる。さらに、子機Ａを使用するユーザも、親機Ｘの残金値を子機Ａにおいて確認できる。これにより、たとえば、ユーザは、親機Ｘによって課金しようとした際に、子機Ａの残金値を確認した上で、課金の要否を決定できる。したがって、余計な課金を未然に防止できる。
【０２９４】
また、たとえば、子機Ａの残金値通知部２２２ａは、親機Ｘに保存されている、親機Ｘ以外の他の通信端末装置（すなわち子機Ｂ）の電子マネーの残金値を取得する。この子機Ｂも、ユーザが有している。これによりユーザは、自身が有している各通信端末装置に記憶されている残金値を、一台の通信端末装置を通じて一度に知ることができる。したがって、たとえば、子機Ａを通じた電子マネーの余計な課金を、よりいっそう防止できる。
【０２９５】
なお、本発明は上述した実施形態に限定されるものではなく、請求項に示した範囲で種々の変更が可能である。すなわち、請求項に示した範囲で適宜変更した技術的手段を組み合わせて得られる実施形態についても、本発明の技術的範囲に含まれる。
（プログラムおよび記録媒体）
最後に、通信端末装置に含まれている各ブロックは、ハードウェアロジックによって構成すればよい。すなわち通信端末装置１は、各機能を実現する制御プログラムの命令を実行するＣＰＵ、この制御プログラムを格納したＲＯＭ（Ｒｅａｄ  Ｏｎｌｙ  Ｍｅｍｏｒｙ）、上記制御プログラムを実行可能な形式に展開するＲＡＭ（Ｒａｎｄａｍ  Ａｃｃｅｓｓ  Ｍｅｍｏｒｙ）、および、上記制御プログラムおよび各種データを格納するメモリ等の記憶装置（記録媒体）を備えている。
【０２９６】
この構成により、本発明の目的は、所定の記録媒体によっても、達成できる。この記録媒体は、上述した機能を実現するソフトウェアである通信端末装置１の制御プログラムのプログラムコード（実行形式プログラム、中間コードプログラム、ソースプログラム）をコンピュータで読み取り可能に記録していればよい。通信端末装置１に、この記録媒体を供給する。これにより、コンピュータとしての通信端末装置１（またはＣＰＵやＭＰＵ）が、供給された記録媒体に記録されているプログラムコードを読み出し、実行すればよい。
【０２９７】
プログラムコードを通信端末装置１に供給する記録媒体は、特定の構造または種類のものに限定されない。すなわち、この記録媒体は、たとえば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などとすることができる。
【０２９８】
また、通信端末装置１を、通信ネットワークと接続可能に構成しても、本発明の目的を達成できる。この場合、上記のプログラムコードを、通信ネットワークを介して通信端末装置１に供給する。この通信ネットワークは、通信端末装置１にプログラムコードを供給できるものであればよく、特定の種類または形態に限定されない。たとえば、インターネット、イントラネット、エキストラネット、ＬＡＮ、ＩＳＤＮ、ＶＡＮ、ＣＡＴＶ通信網、仮想専用網（Ｖｉｒｔｕａｌ  Ｐｒｉｖａｔｅ  Ｎｅｔｗｏｒｋ）、電話回線網、移動体通信網、衛星通信網等であればよい。
【０２９９】
この通信ネットワークを構成する伝送媒体も、プログラムコードを伝送可能な任意の媒体であればよく、特定の構成または種類のものに限定されない。たとえば、ＩＥＥＥ１３９４、ＵＳＢ（Ｕｎｉｖｅｒｓａｌ  Ｓｅｒｉａｌ  Ｂｕｓ）、電力線搬送、ケーブルＴＶ回線、電話線、ＡＤＳＬ（Ａｓｓｙｍｍｅｔｒｉｃ  Ｄｉｇｉｔａｌ  Ｓｕｂｓｃｒｉｂｅｒ  Ｌｉｎｅ）回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。
【０３００】
なお、本発明は、上記プログラムコードが電子的な伝送で具現化された、搬送波に埋め込まれたコンピュータデータ信号の形態でも実現され得る。さらに、他の実施形態における通信端末装置についても、上述したように、通信端末装置１と同様に、プログラムおよび記録媒体として実現可能である。
【産業上の利用可能性】
【０３０１】
本発明は、ＳＩＭカード（Ｓｕｂｓｃｒｉｂｅｒ  Ｉｄｅｎｔｉｔｙ  Ｍｏｄｕｌｅ）またはＵＩＭ（Ｕｓｅｒ  Ｉｄｅｎｔｉｔｙ  Ｍｏｄｕｌｅ）カードなどの、いわゆる加入者情報カードに対応した、携帯電話機などの通信端末装置として幅広く利用できる。
【図面の簡単な説明】
【０３０２】
【図１】本発明の第１実施形態に係る通信端末装置１の要部構成を示すブロック図である。
【図２】加入者情報カードがカードインタフェースに挿入されていない通信端末装置を、加入者情報カードがカードインタフェースに挿入されている通信端末装置に、子機として接続するときに処理の流れの一例を示すフローチャートである。
【図３】本発明の第２実施形態に係る通信端末装置の要部構成を示すブロック図である。
【図４】（ａ）は、通信端末装置が、加入者情報記憶部にカード特定情報を記憶するときの処理の流れの一例を示すフローチャートであり、（ｂ）は、ローカル接続部が通信端末装置を本接続するときに、接続判定部が実行する本接続判定の処理の流れの一例を示すフローチャートである。
【図５】本発明の第３実施形態に係る通信端末装置の要部構成を示すブロック図である。
【図６】本発明の第４実施形態に係る通信端末装置の要部構成を示すブロック図である
【図７】充電コネクタに接続されたときに通信端末装置が実行する処理の流れの一例を示すフローチャートである。
【図８】本発明の第５の実施形態に係る通信端末装置の要部構成を示すブロック図である。
【図９】充電コネクタから外されたときに通信端末装置が実行する処理の流れの一例を示すフローチャートである。
【図１０】本発明の第６実施形態に係る通信システムの概略構成を示す図である。
【図１１】本発明の第６実施形態に係る親機および子機の要部構成を示すブロック図である。
【図１２】親機および子機との間における、データの同期処理の流れを説明するフローチャートである。
【図１３】親機が実行するデータ同期処理の流れを示すフローチャートである。
【図１４】子機が実行するデータ同期処理の流れを示すフローチャートである。
【図１５】各端末が保持しているデータを示す図であり、（ａ）は、親機がデータ記憶部に格納しているデータの例を示す図であり、（ｂ）は、子機がデータ記憶部に格納しているデータの例を示す図であり、（ｃ）は、データ同期後に、親機がデータ記憶部に格納しているデータの例を示す図である。
【図１６】本発明の第７本実施形態に係る通信端末装置の要部構成を示すブロック図である。
【図１７】強制子機モードが設定されている通信端末装置が、強制的に子機として動作し、親機に接続するときの処理の流れの一例を示すフローチャートである。
【図１８】外部からの通信要求が発生したときにおいて、通信端末装置が実行する処理の流れを示すフローチャートである。
【図１９】本発明の第８実施形態に係る通信システムの概略構成を示す図である。
【図２０】親機において再生した作成した音データを、子機が取得し再生するときの処理の流れを示すフローチャートである
【図２１】親機１９０が子機１９０ａにセキュアデータを送信するときにおける、親機１９０および子機１９０ａがそれぞれ実行する処理の流れの一例を示すフローチャートである。
【図２２】本発明の第９実施形態に係る通信システムの概略構成を示す図である。
【図２３】親機および子機が、互いの残金値を共有する前においてそれぞれ管理している残金値を示す図であり、（ａ）は、親機が管理している残金値を示す図であり、（ｂ）は、子機が管理している残金値を示す図であり、（ｃ）は、子機が管理している残金値を示す図である。
【図２４】親機および子機が、それぞれが管理している残金値を共有するときの処理の流れを示すフローチャートである。
【図２５】親機および子機が互いの残金値を共有した後における、親機および子機がそれぞれ管理している残金値を示す図であり、（ａ）は、親機が管理している残金値を示す図であり、（ｂ）は、子機が管理している残金値を示す図であり、（ｃ）は、子機が管理している残金値を示す図である。
【図２６】親機および子機が互いの残金値を共有した後における、親機および子機がそれぞれ管理している残金値を示す図であり、（ａ）は、親機が管理している残金値を示す図であり、（ｂ）は、子機が管理している残金値を示す図であり、（ｃ）は、子機が管理している残金値を示す図である。
【図２７】互いの残金値を完全に共有した後における、親機および子機がそれぞれ管理している残金値を示す図であり、（ａ）は、親機が管理している残金値を示す図であり、（ｂ）は、子機が管理している残金値を示す図であり、（ｃ）は、子機が管理している残金値を示す図である。
【図２８】ユーザに残金値を通知できる親機Ｘの装置外観を示す図である。
【図２９】親機Ｘが、電子マネーの残金値をディスプレイに表示するときの処理の流れを説明するフローチャートである。
【図３０】入出力制御部がディスプレイに表示する残金値の例を示す図である。
【符号の説明】
【０３０３】
１  通信端末装置
５  通信システム
６  通信システム
７  通信システム
１０    入力デバイス
１１    出力デバイス
１２    入出力制御部
１３    カードインタフェース
１４    加入者情報カード
１５    カード挿入判定部（カード挿入判定手段）
１７    ローカル通信部（直接通信手段、データ転送手段）
１８    ローカル接続部
１９    一時メモリ
１６    公衆網通信部
３０    通信端末装置
３２    接続判定部（接続判定手段）
３１    加入者情報記憶部
５０    通信端末装置
５１    親子判定部
５２    通信不可警告部（通信不可警告手段）
５３    通信可能通知部（通信可能通知手段）
６０    通信端末装置
６１    充電状態検出部
６２    ユーザ通知部（カード挿入状態通知手段、着信状態通知手段）
８１    着信状態検出部
１００  親機（通信端末装置）
１００ａ  子機（通信端末装置）
１０１  データ記憶部
１０２  接続先記憶部
１０３  同期開始部
１０４  データ同期部（データ同期手段）
１６０  通信端末装置
１６１  動作設定部
１９０  親機（通信端末装置）
１９０ａ  子機（通信端末装置）
１９１  コンテンツ記憶部
１９１ａ、１９１ｂ  再生データ受信部
１９２  コンテンツ再生部（コンテンツ生成手段）
１９２ａ、１９２ｂ  再生データ再生部（再生データ再生手段）
１９３  コンテンツ情報送信部
１９３ａ、１９３ｂ  コンテンツ情報取得部
１９４  再生データ送信部（再生データ送信手段）
１９４ａ、１９４ｂ  コンテンツ選択指示部
２２１、２２１ａ、２２１ｂ  残金値記憶部
２２２、２２２ａ、２２２ｂ  残金値通知部（残金値送信手段、残金値受信手段）
２８０  通信端末装置
２８１  残金表示ボタン
２８２  ディスプレイ
【図１】
0004468284.tif 000002
【図２】
0004468284.tif 000003
【図３】
0004468284.tif 000004
【図４】
0004468284.tif 000005
【図５】
0004468284.tif 000006
【図６】
0004468284.tif 000007
【図７】
0004468284.tif 000008
【図８】
0004468284.tif 000009
【図９】
0004468284.tif 000010
【図１０】
0004468284.tif 000011
【図１１】
0004468284.tif 000012
【図１２】
0004468284.tif 000013
【図１３】
0004468284.tif 000014
【図１４】
0004468284.tif 000015
【図１５】
0004468284.tif 000016
【図１６】
0004468284.tif 000017
【図１７】
0004468284.tif 000018
【図１８】
0004468284.tif 000019
【図１９】
0004468284.tif 000020
【図２０】
0004468284.tif 000021
【図２１】
0004468284.tif 000022
【図２２】
0004468284.tif 000023
【図２３】
0004468284.tif 000024
【図２４】
0004468284.tif 000025
【図２５】
0004468284.tif 000026
【図２６】
0004468284.tif 000027
【図２７】
0004468284.tif 000028
【図２８】
0004468284.tif 000029
【図２９】
0004468284.tif 000030
【図３０】
0004468284.tif 000031